(57)【要約】ブレスレッド及び／又はネックレスのための装飾部品（３００）が記載されている。この装飾部品（３００）は、装飾部品がブレスレッド及び／又はネックレスの細長い部品に繋がれることを可能にする透孔を有し、この透孔は、透孔軸（３０４）を規定している。この装飾部品は、自己支持のハウジングの第１の側の第１の開口（３５１）、並びに自己支持のハウジングの第２の側の第２の開口（３５２）を有する透孔（３５０）を備えた自己支持のハウジング（３０１）と、自己支持のハウジングの前記透孔中に挿入される挿入アッセンブリ（３０２，３０３）とを具備している。  前記挿入アッセンブリは、装飾部品の前記透孔の少なくとも一部を形成する透孔を有する第１の筒状部材（３０２）と、前記ブレスレッド及び／又はネックレスの一部を摩擦係合で把持するためのグリップ部材（３０３）とから組立てられる。前記第１の筒状部材は、装飾部品の前記透孔中で、前記グリップ部材を取着するように構成されている。【選択図】図３
2016506798.tif 000002
【特許請求の範囲】
【請求項１】
ブレスレッド及び／又はネックレスのための装飾部品（１００）であって、この装飾部品（１００）は、装飾部品（１００）がブレスレッド及び／又はネックレスの細長い部品に繋がれることを可能にすると共に透孔軸を規定している透孔（１４０）を有し、この装飾部品（１００）は、
自己支持のハウジングの第１の側の第１の開口（１５１）、並びに自己支持のハウジングの第２の側の第２の開口（１５２）を有する透孔（１５０）を備えた自己支持のハウジング（１０１）と、
自己支持のハウジングの前記透孔中に挿入される挿入アッセンブリ（１０２，１０３）とを具備し、
前記挿入アッセンブリ（１０２，１０３）は、装飾部品の前記透孔の少なくとも一部を形成する透孔（１４０）を有する第１の筒状部材（１０２）と、前記ブレスレッド及び／又はネックレスの一部を摩擦係合で把持するためのグリップ部材（１０３）とから組立てられ、また、前記第１の筒状部材（１０２）は、装飾部品の前記透孔中で、前記グリップ部材（１０３）を取着するように構成されている、装飾部品。
【請求項２】
前記挿入アッセンブリは、
自己支持のハウジングの前記第１の開口を通って自己支持のハウジングの前記透孔中に挿入される請求項１の装飾部品。
【請求項３】
前記第１の筒状部材は、前記透孔軸に沿って延びた第１の周壁の開口を有し、また、前記グリップ部材は、ブレスレッド及び／又はネックレスの前記細長い部品を摩擦係合で把持するための第１のグリップ部を有し、この第１のグリップ部は、前記第１の周壁の開口を通るように延びている請求項１又は２の装飾部品。
【請求項４】
前記グリップ部材は、筒状部を有し、また、前記グリップ部は、前記筒状部の内面から突出し、グリップ部材の筒状部は、前記第１の筒状部材の一部を囲んでいる請求項３の装飾部品。
【請求項５】
前記第１の筒状部材は、透孔軸に沿って延びた第２の周壁の開口を有し、また、前記グリップ部材は、グリップ部材の前記筒状部の内面から突出している第２のグリップ部を有し、この第２のグリップ部は、前記第２の周壁の開口を通るように延びている請求項３又は４の装飾部品。
【請求項６】
前記第１の筒状部材は、透孔軸に沿って延びた第３の周壁の開口を有し、また、前記グリップ部材は、グリップ部材の前記筒状部の内面から突出している第３のグリップ部を有し、この第３のグリップ部は、前記第３の周壁の開口を通るように延びている請求項５の装飾部品。
【請求項７】
前記第１の筒状部材は、第１の部分及び第２の部分を有し、この第２の部分は、第１の部分の最大幅よりも狭い最大幅を有し、また、グリップ部材の前記筒状部は、第１の筒状部材の前記第２の部分の周りに適合するように配置されて、第１の筒状部材の前記第１の部分と当接し、この結果、前記グリップ部材は、第１の筒状部材に対する、透孔軸に沿った第１の方向への動きが阻止されている、請求項４乃至６のいずれか１の装飾部品。
【請求項８】
前記第１の筒状部材は、更に、第３の部分を有しており、また、前記第２の部分は、第１の部分及び第３の部分の最大幅よりも狭い最大幅を有し、そして、グリップ部材の前記筒状部は、第１の筒状部材の前記第３の部分と当接して、第１の筒状部材に対する、透孔軸に沿った方向へのグリップ部材の動きを阻止する、請求項７の装飾部品。
【請求項９】
この装飾部品は、更に、第２の筒状部材を有しており、前記第１の筒状部材は、この第２の筒状部材の中に配置される請求項１乃至８のいずれか１の装飾部品。
【請求項１０】
挿入アッセンブリの前記第１の筒状部材は、第１端に、更にカラーを有し、このカラーは、前記自己支持のハウジングの第１の開口の所で、自己支持のハウジングの外に位置し、また、装飾部品に対して、前記透孔軸に沿った第１の方向への挿入アッセンブリの第１の筒状部材の動きを阻止するように自己支持のハウジングの外面と当接する表面を有している、請求項１乃至９のいずれか１の装飾部品。
【請求項１１】
この装飾部品は、更に、透孔を備えたロック部材を有し、このロック部材は、前記自己支持のハウジングの中位置される係合部と、自己支持のハウジングの前記第２の開口の所で、自己支持のハウジングの外に位置されるカラーとを有し、前記係合部は、前記第１の筒状部材に装着され、また、前記カラーは、装飾部品に対して、前記透孔軸に沿った第２の方向への挿入アッセンブリの第１の筒状部材の動きを阻止するように自己支持のハウジングの外面と当接する表面を有している、請求項１乃至１０のいずれか１の装飾部品。
【請求項１２】
前記係合部は、前記第１の筒状部材に、雄型／雌型ロック機構により装着され、これの雄型部は、突出部を有し、雌型部は、凹所及び／又は開口を有している、請求項１１の装飾部品。
【請求項１３】
細長い部品と、
前記細長い部品に繋がれる請求項１乃至１２のいずれ１の第１の装飾部品とを具備し、
前記第１の装飾部品は、所定の力が前記第１の装飾部品にかけられて、第１の装飾部品が、前記細長い部品に沿って動くことが可能になるまで、細長い部品に沿って第１の装飾部品を固定するように、グリップ部材が細長い部品を弾性的に把持するように、構成されている、ブレスレッド又はネックレス。
【請求項１４】
装飾部品を製造するための方法であって、この装飾部品は、装飾部品がブレスレッド及び／又はネックレスの細長い部品に繋がれることを可能にすると共に透孔軸を規定している透孔を有しており、この方法は、
自己支持のハウジングの第１の側の第１の開口、並びに自己支持のハウジングの第２の側の第２の開口を有する透孔を備えた自己支持のハウジングを与える工程と、
装飾部品の前記透孔の少なくとも一部を形成する透孔を有する第１の筒状部材と、ブレスレッド及び／又はネックレスの細長い部品を摩擦係合で把持するためのグリップ部材とを有する挿入アッセンブリを組み立てる工程と、
前記挿入アッセンブリを前記ハウジングの透孔の中に挿入する工程とを具備する方法。
【請求項１５】
前記挿入アッセンブリは、前記自己支持のハウジングの第１の開口から、自己支持のハウジングの透孔中に挿入される請求項１４の方法。
【発明の詳細な説明】
【技術分野】
【０００１】
本出願は、ブレスレッド又はネックレスのための装飾部品に、このような装飾部品を有するブレスレッド又はネックレスに、装飾部品を製造するための方法に、そして、グリップ部材を装飾部品の透孔中に取着させるための筒状部材に関する。
【背景技術】
【０００２】
ネックレスやブレスレッドのような装飾品は、細長い部品、例えば、チェーン、ワイヤ又は糸に繋がれたビーズのような自由に移動可能な複数の装飾部品により、度々構成されている。このような自由に移動可能なビーズの全てが、ネックレスまたはブレスレッドの底部に集まってしまうのを防止するために、装飾部品には、ネックレス又はブレスレッドを掴むように構成されたストッパー機構が設けられている。このようなストッパー機構は、種々の形態で、従来から知られている。
【０００３】
ストッパー機構の従来技術のバリエーションの例は、細長い部品に摩擦力を与えるように装飾物品が中に弾性体を有して形成されているUS 2003/0154742に開示されている。同様の解決が、US 2002/0148250に開示されている。この文献では、装飾部品に、細長い部品の外径よりも僅かに短い内径を有する可撓性の弾性チューブが、装飾部品に設けられている。
【０００４】
US 206/0277945は、少なくとも２つのキャップを備えた１セットの部品により形成されたリンクを有するネックレス又はブレスレッドを開示している。前記キャップは、一方では、頭部間に装飾ケース部材を保持するように足部を組み合わせるための手段と、他方では、接続部材に対して各リンクを固定するために足部の接続部に設けられたロック手段とを有している。
【０００５】
他の従来技術のバリエーションは、WO 2006/125155に記載されている。
【０００６】
しかし、上記従来技術の装飾部品を製造するのは難しい場合もあった。更に、留める機構は、損傷し易い可能性もあった。
【０００７】
かくして、容易に製造可能である固定機構を備えた、丈夫な装飾部品を提供する問題が残っている。
【発明の概要】
【０００８】
第１の態様に係われば、本願発明は、ブレスレッド及び／又はネックレスのための装飾部品であって、この装飾部品は、装飾部品がブレスレッド及び／又はネックレスの細長い部品に繋がれることを可能にすると共に透孔軸を規定している透孔を有し、この装飾部品は、
自己支持のハウジングの第１の側の第１の開口、並びに自己支持のハウジングの第２の側の第２の開口を有する透孔を備えた自己支持のハウジングと、
自己支持のハウジングの前記透孔中に挿入される挿入アッセンブリとを具備し、
前記挿入アッセンブリは、装飾部品の前記透孔の少なくとも一部を形成する透孔を有する第１の筒状部材と、前記ブレスレッド及び／又はネックレスの一部を摩擦係合で把持するためのグリップ部材とから組立てられ、また、前記第１の筒状部材は、装飾部品の前記透孔中で、前記グリップ部材を取着するように構成されている、装飾部品に関している。
【０００９】
従って、装飾部品にグリップ部材を与えるために挿入アッセンブリを使用することにより、製造コストが低くされ得る。更に、自己支持のハウジングの中にグリップ部材を取着させるために筒状部材を使用することにより、グリップ部材は、損傷から比較的効率よく保護され得る。
【００１０】
装飾部品は、ビーズのように、装飾の目的のためにブレスレッド及び／又はネックレスに繋がれ得る如何なる部品でも良い。本願の第１の態様に係わる装飾部品は、ブレスレッド及び／又はネックレスにビーズを自由に動かすことができるように構成するために使用され得る。例えば、２つの装飾部品が、ブレスレッド及び／又はネックレスの細長い部品の所望の位置に引いて位置させられて開放されることができ、かくして、これら装飾部品は、細長い部品に留められる。従って、ブレスレッド又はネックレスは、自由に移動可能なビーズのために３つの異なる領域に分けられる。このことは、自由に移動可能なビーズの全てが一緒になってまとまることを防止するように使用され得る。
【００１１】
前記自己支持のハウジングは、装飾部品の外面を構成し得るか、装飾部品の外面を構成する他の層又は部品で覆われ得る。自己支持のハウジングは、ほぼ球形、円筒形、立方体形のような如何なる形状でも良い。自己支持のハウジングは、装飾部品の製造プロセスの間、しっかりとした取扱いが可能なような構成強度を有している。自己支持のハウジングは、装飾部品の主構成強度を与え得る。自己支持のハウジングは、金属、ガラス、木材、プラスチック、又はこれらの組合せにより形成され得る。この自己支持のハウジングの透孔は、一定の幅を有していても、変化している幅（透孔軸に垂直な面内で見て）を有していても良い。例えば、自己支持のハウジングの透孔は、第１の開口及び第２の開口の所よりも、自己支持のハウジングの中央部で広くなっていても良い。自己支持のハウジングの透孔の内面は、他の部品又は流体、例えば、空気により、挿入アッセンブリから離間されていても良い。少なくとも、自己支持のハウジングの一部は、透明又は半透明であっても良い。
【００１２】
装飾部品の個々の部材は、永久的に取着されても、又永久的でないように取着されても良い。挿入アッセンブリは、ハウジングの透孔中にハウジングの第１の開口から挿入され得る。即ち、挿入アッセンブリは、これが自己支持のハウジングの第１の開口を通って挿入可能なようなサイズと形状を有し得る。
【００１３】
第１の筒状部材は、丸いか矩形のような外形を有し得る。従って、第１の筒状部材の透孔は、丸いか矩形のような如何なる形状を有し得る。第１の筒状部材は、一体成型により、即ち、単一の型により形成され得る。第１の筒状部材は、金属及び／又はプラスチックにより形成され得る。
【００１４】
前記グリップ部材は、ブレスレッド及び／又はネックレスの細長い部品、例えば、ネックレス又はブレスレッドのチェーンもしくはストランドと強い摩擦係合接続を果たすように設定された材料で形成され得る。前記グリップ部材は、シリコーン剤のように変形可能な材料により形成され得る。
【００１５】
幾つかの実施の形態では、前記グリップ部材は、第１の材料で形成され、前記第１の筒状部材は、第２の材料で形成される。ここで、第１の材料の摩擦係数は、スターリングシルバーに比較した第２の材料の摩擦係数よりも高い。
【００１６】
前記第１の材料の摩擦係数は、スターリングシルバーに比較した第２の材料の摩擦係数よりも、少なくとも１０％，２０％，４０％又は６０％高くて良い。
【００１７】
本願発明の幾つかの実施の形態において、前記グリップ部材は、装飾部品の中央に位置されており、透孔軸に沿った自己支持のハウジングの幅の９５％，９０，８０％，７０％，６０％又は５０％よりも短い透孔軸に沿った幅を有している。
【００１８】
従って、前記グリップ部材は、良好に保護されている。かくして、より強度の優れた装飾部品が提供される。  
幾つかの実施の形態では、前記第１の筒状部材は、前記第１の筒状部材は、前記透孔軸に沿って延びた第１の周壁の開口を有し、また、前記グリップ部材は、ブレスレッド及び／又はネックレスの前記細長い部品を摩擦係合で把持するための第１のグリップ部を有し、この第１のグリップ部は、前記第１の周壁の開口を通るように延びている。
【００１９】
幾つかの実施の形態では、前記グリップ部材は、筒状部を有し、また、前記グリップ部は、前記筒状部の内面から突出し、グリップ部材の筒状部は、前記第１の筒状部材の一部を囲んでいる。
【００２０】
従って、前記筒状部材は、この装飾部品の透孔の中に、グリップ部材を有効な方法で装着させ得る。
【００２１】
グリップ部材全体は、一体成型により、即ち、単一のモールドにより、なされ得る。
【００２２】
幾つかの実施の形態では、前記第１の筒状部材は、透孔軸に沿って延びた第２の周壁の開口を有し、また、前記グリップ部材は、グリップ部材の前記筒状部の内面から突出している第２のグリップ部を有し、この第２のグリップ部は、前記第２の周壁の開口を通るように延びている。
【００２３】
幾つかの実施の形態では、前記第１の筒状部材は、透孔軸に沿って延びた第３の周壁の開口を有し、また、前記グリップ部材は、グリップ部材の前記筒状部の内面から突出している第３のグリップ部を有し、この第３のグリップ部は、前記第３の周壁の開口を通るように延びている。
【００２４】
幾つかの実施の形態では、前記第１の周壁の開口、第２の周壁の開口、及び／又は第３の周壁の開口は、透孔軸に沿った前記第１の筒状部材の幅の９５％，９０，８０％，７０％，６０％又は５０％よりも短い透孔軸に沿った幅を有している。
【００２５】
幾つかの実施の形態では、前記第１の周壁の開口、第２の周壁の開口、及び／又は第３の周壁の開口の各々は、透孔軸に対して垂直な面内で、第１の筒状部材の周壁の５％と３３％との間だけ延びている。
【００２６】
幾つかの実施の形態において、前記第１の筒状部材は、第１の部分及び第２の部分を有し、この第２の部分は、第１の部分の最大幅よりも狭い最大幅を有し、また、グリップ部材の前記筒状部は、第１の筒状部材の前記第２の部分の周りにぴったりと適合するように配置されて、第１の筒状部材の前記第１の部分と当接し、この結果、前記グリップ部材は、第１の筒状部材に対する、透孔軸に沿った第１の方向への動きが阻止される。
【００２７】
幾つかの実施の形態において、前記第１の筒状部材は、更に、第３の部分を有しており、また、前記第２の部分は、第１の部分及び第３の部分の最大幅よりも狭い最大幅を有し、そして、グリップ部材の前記筒状部は、第１の筒状部材の前記第３の部分と当接して、第１の筒状部材に対する、透孔軸に沿った方向へのグリップ部材の動きを阻止する。
【００２８】
前記最大幅は、透孔軸に垂直な面内で計っている。
【００２９】
幾つかの実施の形態で、前記グリップ部材の筒状部は、前記第１の筒状部材の第１の部分及び／又は第３の部分の最大幅にほぼ等しい最大幅を有している。
【００３０】
幾つかの実施の形態において、この装飾部品は、更に、第２の筒状部材を有しており、前記第１の筒状部材は、この第２の筒状部材の中に配置される。
【００３１】
これにより、挿入アッセンブリを自己支持のハウジングの中に挿入し易くしている。
【００３２】
前記第２の筒状部材は、自己支持のハウジングの幅にほぼ等しい透孔軸に沿った幅を有し得る。かくして、この第２の筒状部材は、自己支持のハウジングの透孔の中に全体が挿入され得る。
【００３３】
幾つかの実施の形態で、挿入アッセンブリの前記第１の筒状部材は、第１端に、更にカラーを有し、このカラーは、前記自己支持のハウジングの第１の開口の所で、自己支持のハウジングの外に位置し、また、装飾部品に対して、前記透孔軸に沿った第１の方向への挿入アッセンブリの第１の筒状部材の動きを阻止するように自己支持のハウジングの外面と当接する表面を有している。
【００３４】
前記外面は、前記自己支持のハウジングの外面であり得る。前記カラーは、前記第１の筒状部材の一体的な部分であり得るか、第１の筒状部材に取着され得る。
【００３５】
幾つかの実施の形態で、この装飾部品は、更に、透孔を備えたロック部材を有し、このロック部材は、前記自己支持のハウジングの中位置される係合部と、自己支持のハウジングの前記第２の開口の所で、自己支持のハウジングの外に位置されるカラーとを有し、前記係合部は、前記第１の筒状部材に装着され、また、前記カラーは、装飾部品に対して、前記透孔軸に沿った第２の方向への挿入アッセンブリの第１の筒状部材の動きを阻止するように自己支持のハウジングの外面と当接する表面を有している。
【００３６】
従って、挿入アッセンブリは、自己支持のハウジングに有効な方法で取着され得る。
【００３７】
前記外面は、自己支持のハウジングの外面であり得る。
【００３８】
ロック部材の前記係合部とカラーとは、一体的に形成され得る。また、このロック部材は、第１の筒状部材に、接着剤又は機械的なロック機構により、装着され得る。
【００３９】
ロック部材の前記係合部は、第１の筒状部材の中に挿入されて、前記ロック部材の透孔と前記第１の筒状部材とが、一緒になってこの装飾部品の透孔を形成している。
【００４０】
幾つかの実施の形態において、前記係合部は、前記第１の筒状部材に、雄型／雌型ロック機構により装着され、これの雄型部は、突出部を有し、雌型部は、凹所及び／又は開口を有している。
【００４１】
前記係合部は、雄型部を有し得、また、前記第１の筒状部材は、雌型部を有し得る。即ち、前記係合部は、第１の筒状部材の凹所及び／又は開口と係合するように構成された突出部を有し得る。代わって、第１の筒状部材が雄型部を有し、係合部が雌型部を有していても良い。
【００４２】
幾つかの実施の形態では、前記雄型／雌型ロック機構は、雄型部及び雌型部の自由回転可能な向き及び／又は位置から、雄型部及び雌型部のロックされる回転向き及び／又は位置への移動及び／又は回転が、雄型部及び雌型部のロックされる回転向き及び／又は位置から雄型部及び雌型部の自由回転可能な向き及び／又は位置への移動及び／又は回転よりも弱い力でなされる、スナップロック形式である。
【００４３】
このことは、ロック部材と第１の筒状部材とが、代表的には永久的に取着されるような効果があり得る。
【００４４】
幾つかの実施の形態では、前記雄型／雌型ロック機構は、ロック部材が第１の筒状部材に対して自由回転可能な向きのときに、透孔軸に沿った凹所及び／又は開口中への雄型部の突出部の挿入を可能にし、ロック部材が第１の筒状部材に対してロックされる位置の時であってロック部材が第１の筒状部材に対してロックされる回転向きのときに、少なくとも透孔軸に沿った第１の方向への移動が阻止されるように形成された凹所及び／又は開口を、前記雌型部（係合部又は第１の筒状部材）が有している回転ロック形式である得る。
【００４５】
幾つかの実施の形態では、前記雄型部は、複数の突出部を有しており、また前記雌型部は、複数の凹所及び／又は開口を有している。
【００４６】
前記雄型／雌型ロック機構が回転形式のときには、前記ロック部材は、第１の筒状部材に、最初にロック部材を第１の筒状部材に対して自由回転可能な向きに回転して向かせ、次に、ロック部材が第１の筒状部材に対してロックされるになるまで、筒状部材及び／又はロック部材を透孔軸に沿って移動させ、そして、最後に、第１の筒状部材及び／又はロック部材を自由回転可能な向きからロックされる回転向きに回転させることにより、装着され得る。
【００４７】
前記雄型部の突出部及び／又は前記雌型部の凹所及び／又は開口は、自由回転可能な向きからロックされる回転向きへの回転が、ロックされる回転向きから自由回転可能な向きへの回転よりも小さい力が必要であるように、構成され得る。
【００４８】
幾つかの実施の形態において、雄型部（係合部又は第１の筒状部材）は、可撓性の部材を有する。この可撓性の部材は、雄型部が雌型部と当ったときに、第１の形状から第２の形状に変形し、そして、この可撓性の部材が、雌型部の凹所及び／又は開口とアラインメントされたときに、ほぼ第１の形状へとスナップバックして、可撓性の部材が凹所及び／又は開口と係合し、この結果、両者間での純粋な変換により、雄型部を雌型部にロックさせるように、構成されている。
【００４９】
幾つかの実施の形態では、前記雄型部は、２つの可撓性の部材を有し、また、雌型の部分は、２つの凹所及び／又は開口を有している。
【００５０】
前記２つの可撓性の部材は、雄型部の対向した両側に配置され得る。対応して、前記２つの凹所及び／又は開口は、雌型部の対向した両側に配置され得る。
【００５１】
幾つかの実施の形態では、装飾部品は、２mmと５cmとの間の透孔軸に沿った長さを有している。
【００５２】
幾つかの実施の形態では、前記第１の筒状部材は、透孔軸に沿って延びた第４の周壁の開口を有しており、また、前記グリップ部材は、グリップ部材の前記筒状部の内面から突出した第４のグリップ部を有しており、この第４のグリップ部は、前記第４の周壁の開口を通って延びている。
【００５３】
第２の態様に係われば、本願発明は、細長い部品と、
前記細長い部品に繋がれる、本願発明の第１の態様に関連して記載された第１の装飾部品とを具備し、
前記第１の装飾部品は、所定の力が前記第１の装飾部品にかけられて、第１の装飾部品が、前記細長い部品に沿って動くことが可能になるまで、細長い部品に沿って第１の装飾部品を固定するように、グリップ部材が細長い部品を弾性的に把持するように、構成されている、ブレスレッド又はネックレスに関している。
【００５４】
前記細長い部品は、金属チェーン、レザー紐、布紐、又は、アンカー形式のチェーンのように、宝飾品に適した細長い部品であり得る。
【００５５】
幾つかの実施の形態では、前記所定の力は、装飾部品に作用する重力よりも大きい。
【００５６】
幾つかの実施の形態では、ブレスレッド又はネックレスは、更に、細長い部材に繋がれる少なくとも１つの自由に動き得る装飾部品を有している。
【００５７】
幾つかの実施の形態では、ブレスレッド又はネックレスは、更に、細長い部材に繋がれる複数の自由に動き得る装飾部品を有している。
【００５８】
幾つかの実施の形態では、ブレスレッド又はネックレスは、更に、細長い部材に繋がれる、前記第１の態様に関して記載されたような第２の装飾部品を有しており、この第２の装飾部品は、グリップ部材が、細長い部材を弾性的に把持して、第２の装飾部品を、所定の力が第２の装飾部品にかけられて第２の装飾部品が細長い部品に沿って動かされ得るようになるまで、細長い部品に沿って固定させるように構成されている。
【００５９】
第３の態様に係われば、本願発明は、装飾部品を製造するための方法であって、この装飾部品は、装飾部品がブレスレッド及び／又はネックレスの細長い部品に繋がれることを可能にすると共に透孔軸を規定している透孔を有しており、この方法は、
自己支持のハウジングの第１の側の第１の開口、並びに自己支持のハウジングの第２の側の第２の開口を有する透孔を備えた自己支持のハウジングを与える工程と、
装飾部品の前記透孔の少なくとも一部を形成する透孔を有する第１の筒状部材と、ブレスレッド及び／又はネックレスの細長い部品を摩擦係合で把持するためのグリップ部材とを有する挿入アッセンブリを組み立てる工程と、
前記挿入アッセンブリを前記ハウジングの透孔の中に挿入する工程とを具備する方法に関している。
【００６０】
従って、グリップ部材を備えた装飾部品を製造する有効な方法が提供される。
【００６１】
幾つかの実施の形態では、前記挿入アッセンブリは、前記自己支持のハウジングの第１の開口から、自己支持のハウジングの透孔の中に挿入される。
【００６２】
幾つかの実施の形態において、装飾部品は、本願発明の第１の態様に関連して記載されたような装飾部品である。
【００６３】
幾つかの実施の形態において、前記挿入アッセンブリは、これが自己支持のハウジングの透孔に挿入される前に、組み立てられる。  
幾つかの実施の形態において、前記第１の筒状部材は、透孔軸に沿って延びた第１の周壁の開口を有し、前記グリップ部材は、ブレスレッド及び／又はネックレスの細長い部品を摩擦係合で把持するための第１のグリップ部と筒状部とを有し、前記第１のグリップ部は、前記筒状部の内面から突出しており、また、前記挿入アッセンブリを組み立てる工程は、前記第１のグリップ部が、前記第１の周壁の開口とアラインメントされ、第１のグリップ部が、前記第１の周壁の開口を通って延び、前記筒状部の内面の一部が、第１の筒状部材の外面の一部の上に位置し、この結果、グリップ部材が第１の筒状部材に取着されるまで、第１の筒状部材の周りのグリップ部材を引っ張ることを有している。
【００６４】
幾つかの実施の形態では、前記第１の筒状部材は、透孔軸に沿って延びた第２の周壁の開口を有し、また、前記くえは、更に、ブレスレッド及び／又はネックレスの細長い部品を摩擦係合で把持するための第２のグリップ部材を有しており、この第２のグリップ部材は、前記筒状部の内面から突出している。前記挿入アッセンブリを組み立てる工程は、前記第１のグリップ部が、前記第１の周壁の開口とアラインメントされると共に前記第２のグリップ部が、前記第２の周壁の開口とアラインメントされ、第１のグリップ部が、前記第１の周壁の開口を通って延びると共に第２のグリップ部が、前記第２の周壁の開口を通って延び、前記筒状部の内面の一部が、第１の筒状部材の外面の一部の上に位置し、この結果、グリップ部材が第１の筒状部材に取着されるまで、第１の筒状部材の周りのグリップ部材を引っ張ることを有している。
【００６５】
幾つかの実施の形態において、前記第１の筒状部材は、透孔軸に沿って延びた第３の周壁の開口を有し、また、前記くえは、更に、ブレスレッド及び／又はネックレスの細長い部品を摩擦係合で把持するための第３のグリップ部材を有しており、この第３のグリップ部材は、前記筒状部の内面から突出している。前記挿入アッセンブリを組み立てる工程は、前記第１のグリップ部が、前記第１の周壁の開口とアラインメントされる、前記第２のグリップ部が、前記第２の周壁の開口とアラインメントされ、前記第３のグリップ部が、前記第３の周壁の開口とアラインメントされ、そして、第１のグリップ部が、前記第１の周壁の開口を通って延び、第２のグリップ部が、前記第２の周壁の開口を通って延び、第３のグリップ部が、前記第３の周壁の開口を通って延び、前記筒状部の内面の一部が、第１の筒状部材の外面の一部の上に位置し、この結果、グリップ部材が第１の筒状部材に取着されるまで、第１の筒状部材の周りのグリップ部材を引っ張ることを有している。
【００６６】
幾つかの実施の形態において、この装飾部品は、更に、透孔を備えたロック部材を有し、このロック部材は、前記挿入アッセンブリと係合するための係合部と、前記自己支持のハウジングの外に位置されるカラーとを有し、この方法は、更に、
前記ロック部材の係合部を前記自己支持のハウジングの第２の開口の中に挿入する工程と、
前記係合部を前記挿入アッセンブリに装着させる工程とを有している。
【００６７】
第４の態様に係われば、本願発明は、ブレスレッド及び／又はネックレスの細長い部品を、装飾部品の透孔中で、把持するためのグリップ部材を取着するための筒状部材に関している。この筒状部材は、筒状部材の透孔軸を規定している透孔を有している。また、この筒状部材は、筒状部材の透孔軸に沿って延びている第１の周壁の開口を有しており、この第１の周壁の開口は、第１のグリップ部が第１の周壁の開口を通ることを可能にするように、グリップ部材の第１のグリップ部を受けるようになっている。
【００６８】
幾つかの実施の形態において、前記筒状部材は、更に、筒状部材の透孔軸に沿って延びている第２の周壁の開口を有しており、この第２の周壁の開口は、第２のグリップ部が第２の周壁の開口を通ることを可能にするように、グリップ部材の第２のグリップ部を受けるようになっている。
【００６９】
幾つかの実施の形態において、前記筒状部材は、更に、筒状部材の透孔軸に沿って延びている第３の周壁の開口を有しており、この第３の周壁の開口は、第３のグリップ部が第３の周壁の開口を通ることを可能にするように、グリップ部材の第３のグリップ部を受けるようになっている。
【００７０】
幾つかの実施の形態において、前記第１の周壁の開口、第２の周壁の開口、及び／又は第３の周壁の開口は、筒状部材の透孔軸に沿った筒状部材の幅の９５％，９０，８０％，７０％，６０％又は５０％よりも短い筒状部材の透孔軸に沿った幅を有している。
【００７１】
幾つかの実施の形態において、前記第１の周壁の開口、第２の周壁の開口、及び／又は第３の周壁の開口は、筒状部材の透孔軸に対して垂直な面内で、筒状部材の周壁の５％と３３％との間だけ延びている。
【００７２】
幾つかの実施の形態において、この筒状部材は、装飾部品の自己支持のハウジングの透孔の中に、自己支持のハウジングの前記透孔の第１の開口を通して挿入可能である。
【００７３】
幾つかの実施の形態において、この筒状部材は、第１の部分と第２の部分とを有し、第１の部分は、第２の部分の次に位置され、第２の部分は、筒状部材の透孔軸に垂直な面内で計って、第１の部分の最大幅よりも小さい最大幅を有しており、前記第１の周壁の開口は、筒状部材の第２の部分に位置されている。
【００７４】
幾つかの実施の形態において、前記第２の周壁の開口は、筒状部材の第２の部分に位置されている。
【００７５】
幾つかの実施の形態において、前記第３の周壁の開口は、筒状部材の第２の部分に位置されている。
【００７６】
幾つかの実施の形態において、この筒状部材は、更に、前記第２の部分の次に位置された第３の部分を有しており、前記第２の部分は、筒状部材の透孔軸に垂直な面内で計って、前記第１の部分及び第３の部分の最大幅よりも小さい最大幅を有しており、前記第１の周壁の開口は、筒状部材の第２の部分に位置されている。
【００７７】
幾つかの実施の形態において、前記第１の周壁の開口は、筒状部材の前記第２の部分の、筒状部材の透孔軸に沿ってほぼ全長に渡って延びている。
【００７８】
幾つかの実施の形態において、前記第２の周壁の開口は、筒状部材の前記第２の部分の、筒状部材の透孔軸に沿ってほぼ全長に渡って延びている。
【００７９】
幾つかの実施の形態において、前記第３の周壁の開口は、筒状部材の前記第２の部分の、筒状部材の透孔軸に沿ってほぼ全長に渡って延びている。
【００８０】
幾つかの実施の形態において、この筒状部材は、自己支持のハウジングの外に位置されるカラーを有し、このカラーは、自己支持のハウジングに対して、筒状部材の前記透孔軸に沿った第１の方向へ筒状部材の動きを阻止するように自己支持のハウジングの外面と当接する表面を有している。
【００８１】
前記カラーは、この筒状部材の一体的な部分であり得るか、筒状部材に取着され得る。このカラーは、筒状部材の透孔の第１の開口の所に配置され得る。
【００８２】
幾つかの実施の形態において、前記係合部は、この筒状部材に、雄型／雌型ロック機構により装着され、これの雄型部は、突出部を有し、雌型部は、凹所及び／又は開口を有している。
【００８３】
前記係合部は、雄型部を有し得、また、この筒状部材は、雌型部を有し得る。即ち、前記係合部は、筒状部材の凹所及び／又は開口と係合するように構成された突出部を有し得る。代わって、この筒状部材が雄型部を有し、係合部が雌型部を有していても良い。
【００８４】
幾つかの実施の形態では、前記雄型／雌型ロック機構は、雄型部及び雌型部の自由回転可能な向き及び／又は位置から、雄型部及び雌型部のロックされる回転向き及び／又は位置への移動及び／又は回転が、雄型部及び雌型部のロックされる回転向き及び／又は位置から雄型部及び雌型部の自由回転可能な向き及び／又は位置への移動及び／又は回転よりも弱い力でなされる、スナップロック形式である。
【００８５】
このことは、ロック部材と筒状部材とが、代表的には永久的に取着されるような効果があり得る。
【００８６】
幾つかの実施の形態では、前記雄型／雌型ロック機構は、ロック部材が筒状部材に対して自由回転可能な向きのときに、透孔軸に沿った凹所及び／又は開口中への雄型部の突出部の挿入を可能にし、ロック部材が筒状部材に対してロックされる位置の時であってロック部材が筒状部材に対してロックされる回転向きのときに、少なくとも透孔軸に沿った第１の方向への移動が阻止されるように形成された凹所及び／又は開口を、前記雌型部（係合部又は筒状部材）が有している回転ロック形式である得る。
【００８７】
幾つかの実施の形態では、前記雄型部は、複数の突出部を有しており、また前記雌型部は、複数の凹所及び／又は開口を有している。
【００８８】
前記雄型部の突出部及び／又は前記雌型部の凹所及び／又は開口は、自由回転可能な向きからロックされる回転向きへの回転が、ロックされる回転向きから自由回転可能な向きへの回転よりも小さい力が必要であるように、構成され得る。
【００８９】
幾つかの実施の形態では、筒状部材は、２mmと３cmとの間の筒状部材の透孔軸に沿った長さを有している。
【００９０】
第５の態様に係われば、本願発明は、ブレスレッド及び／又はネックレスのための装飾部品であって、この装飾部品は、装飾部品がブレスレッド及び／又はネックレスの細長い部品に繋がれることを可能にすると共に透孔軸を規定している透孔を有し、この装飾部品は、
ハウジングの第１の側の第１の開口、並びにハウジングの第２の側の第２の開口を有する透孔を備えた自己支持のハウジングと、
透孔を有し、前記自己支持のハウジングの第１の開口を通して自己支持のハウジングの透孔の中に挿入される第１の筒状部材とを具備し、
この装飾部品は、更に、透孔を有し、自己支持のハウジングの前記第２の開口を通して自己支持のハウジングの前記透孔の加に挿入されるロック部材を具備し、このロック部材は、前記第１の筒状部材に装着される係合部を有している。
【００９１】
従って、装飾部品の両側から挿入された２つの部材を使用することによるライニングを装飾部品に与えることにより、このライニング（第１の筒状部材とロック部材）は、ビーズにこれを変形しないで装着され得る。このことは、予め装飾されたライニングや複数の部材からなるライニングのような比較的複雑な挿入部が使用されることを可能にしている。
【００９２】
この装飾部品は、ビーズのような装飾の目的のためのブレスレッド及び／又はネックレスに繋がれ得る如何なる部品でも良い。本願発明の第５の態様に係わる装飾部品は、自由に動き得る装飾部品でも良いし、ブレスレッド又はブレスレッドで自由に動き得る装飾部品を構成する装飾部品でも良い。前記自己支持のハウジングは、装飾部品の外面を構成し得るか、装飾部品の外面を構成する他の層又は部品で覆われ得る。自己支持のハウジングは、ほぼ球形、円筒形、立方体形のような如何なる形状でも良い。自己支持のハウジングは、装飾部品の製造プロセスの間、しっかりとした取扱いが可能なような構成強度を有している。自己支持のハウジングは、装飾部品の主構成強度を与え得る。自己支持のハウジングは、金属、ガラス、木材、プラスチック、又はこれらの組合せにより形成され得る。この自己支持のハウジングの透孔は、一定の幅を有していても、変化している幅（透孔軸に垂直な面内で見て）を有していても良い。例えば、自己支持のハウジングの透孔は、第１の開口及び第２の開口の所よりも、自己支持のハウジングの中央部で広くなっていても良い。自己支持のハウジングの透孔の内面は、他の部品又は流体、例えば、空気により、挿入アッセンブリから離間されていても良い。少なくとも、自己支持のハウジングの一部は、透明又は半透明であっても良い。
【００９３】
前記係合部と第１の筒状部材とは、永久的に取着されても、又永久的でないように取着されても良い。
【００９４】
第１の筒状部材は、丸いか矩形のような外形を有し得る。従って、第１の筒状部材の透孔は、丸いか矩形のような如何なる形状を有し得る。第１の筒状部材は、一体成型により、即ち、単一の型により形成され得る。第１の筒状部材は、金属及び／又はプラスチックにより形成され得る。
【００９５】
前記ロック部材の係合部は、接着剤又は機械的なロック機構の使用により、第１の筒状部材に取着さけ得る。
【００９６】
幾つかの実施の形態では、前記係合部は、第１の筒状部材に、雄型／雌型ロック機構により取着されており、雄型部は、突出部を有しており、また、雌型部は、凹所及び／又は開口を有している。
【００９７】
前記係合部は、雄型部で良く、また、前記雌型部は、雌型部で良い。即ち、係合部は、第１の筒状部材に形成された凹所及び／又はに係合するように構成された突出部により形成され得る。代わって、前記第１の筒状部材は、雄型部を有しても良く、また、係合部は、雌型部を有し得る。
【００９８】
幾つかの実施の形態において、この装飾部品は、更に、第２の筒状部材を有しており、前記第１の筒状部材と、前記ロック部材の係合部とは、第２の筒状部材の中に位置される。
【００９９】
これにより、挿入アッセンブリは、自己支持のハウジングの中に、より容易に挿入されることができる。前記第２の筒状部材は、更に、前記自己支持のハウジングが、透明又は半透明のときに、装飾部品の装飾されていない部材を隠し得る。前記第１の筒状部材は、第１の筒状部材と係合部との間の取着部を更に、保護し得る。
【０１００】
前記第２の筒状部材は、自己支持のハウジングの長さほぼ等しい透孔軸にそった長さを有し得る。かくして、この第２の筒状部材は、自己支持のハウジングの透孔の中に全体が挿入され得る。ロック部材の前記係合部は、第２の筒状部材の中に全体が挿入され得る。
【０１０１】
幾つかの実施の形態において、前記雄型／雌型ロック機構は、雄型部及び雌型部の自由回転可能な向き及び／又は位置から、雄型部及び雌型部のロックされる回転向き及び／又は位置への移動及び／又は回転が、雄型部及び雌型部のロックされる回転向き及び／又は位置から雄型部及び雌型部の自由回転可能な向き及び／又は位置への移動及び／又は回転よりも弱い力でなされる、スナップロック形式である。
【０１０２】
このことは、ロック部材と第１の筒状部材とが、代表的には永久的に取着されるような効果があり得る。
【０１０３】
幾つかの実施の形態では、前記雄型／雌型ロック機構は、ロック部材が第１の筒状部材に対して自由回転可能な向きのときに、透孔軸に沿った凹所及び／又は開口中への雄型部の突出部の挿入を可能にし、ロック部材が第１の筒状部材に対してロックされる位置の時であってロック部材が第１の筒状部材に対してロックされる回転向きのときに、少なくとも透孔軸に沿った第１の方向への移動が阻止されるように形成された凹所及び／又は開口を、前記雌型部（係合部又は第１の筒状部材）が有している回転ロック形式である得る。
【０１０４】
幾つかの実施の形態では、前記雄型部は、複数の突出部を有しており、また前記雌型部は、複数の凹所及び／又は開口を有している。
【０１０５】
前記雄型／雌型ロック機構が回転形式のときには、前記ロック部材は、第１の筒状部材に、最初にロック部材を第１の筒状部材に対して自由回転可能な向きに回転して向かせ、次に、ロック部材が第１の筒状部材に対してロックされるになるまで、筒状部材及び／又はロック部材を透孔軸に沿って移動させ、そして、最後に、第１の筒状部材及び／又はロック部材を自由回転可能な向きからロックされる回転向きに回転させることにより、装着され得る。
【０１０６】
前記雄型部の突出部及び／又は前記雌型部の凹所及び／又は開口は、自由回転可能な向きからロックされる回転向きへの回転が、ロックされる回転向きから自由回転可能な向きへの回転よりも小さい力が必要であるように、構成され得る。
【０１０７】
幾つかの実施の形態において、雄型部（係合部又は第１の筒状部材）は、可撓性の部材を有する。この可撓性の部材は、雄型部が雌型部と当ったときに、第１の形状から第２の形状に変形し、そして、この可撓性の部材が、雌型部の凹所及び／又は開口とアラインメントされたときに、ほぼ第１の形状へとスナップバックして、可撓性の部材が凹所及び／又は開口と係合し、この結果、両者間での純粋な変換により、雄型部を雌型部にロックさせるように、構成されている。
【０１０８】
幾つかの実施の形態では、前記雄型部は、２つの可撓性の部材を有し、また、雌型の部分は、２つの凹所及び／又は開口を有している。
【０１０９】
前記２つの可撓性の部材は、雄型部の対向した両側に配置され得る。対応して、前記２つの凹所及び／又は開口は、雌型部の対向した両側に配置され得る。
【０１１０】
幾つかの実施の形態では、ロック部材の前記係合部は、前記第１の筒状部材の中に挿入され、この結果、ロック部材の透孔と第１の筒状部材の透孔とは、一緒になって、装飾部品の透孔を形成している。
【０１１１】
幾つかの実施の形態において、前記第１の筒状部材は、第１の端部に、更にカラーを有し、このカラーは、前記自己支持のハウジングの第１の開口の所で、自己支持のハウジングの外に位置し、また、装飾部品に対して、前記透孔軸に沿った第１の方向への挿入アッセンブリの第１の筒状部材の動きを阻止するように自己支持のハウジングの外面と当接する表面を有している。
【０１１２】
幾つかの実施の形態において、前記ロック部材は、前記自己支持のハウジングの第２の開口の所で、自己支持のハウジングの外に位置するカラーを有し、また、このカラーは、装飾部品に対して、前記透孔軸に沿った第２の方向への前記第１の筒状部材の動きを阻止するように自己支持のハウジングの外面と当接する表面を有している。
【０１１３】
幾つかの実施の形態において、前記第１の筒状部材は、前記自己支持のハウジングの第１の開口を通って自己支持のハウジングの前記透孔の中に挿入さる挿入アッセンブリの部分であり、前記挿入アッセンブリは、ブレスレッド及び／又はネックレスの一部を摩擦係合で把持するように、前記第１の筒状部材とグリップ部材とにより組み立てられており、また、前記第１の筒状部材は、装飾部品の透孔の中に前記グリップ部材を装着するように構成されている。
【０１１４】
第６の態様に係われば、本願発明は、装飾部品を製造するための方法であって、この装飾部品は、装飾部品がブレスレッド及び／又はネックレスの細長い部品に繋がれることを可能にすると共に透孔軸を規定している透孔を有しており、この方法は、
自己支持のハウジングの第１の側の第１の開口、並びに自己支持のハウジングの第２の側の第２の開口を有する透孔を備えた自己支持のハウジングを与える工程と、
前記自己支持のハウジングの第１の開口を通して、透孔を有する第１の筒状部材を挿入する工程と、
前記自己支持のハウジングの第２の開口を通して、透孔を有し、自己支持のハウジングの透孔の中に位置されるための係合部を備えたロック部材を挿入する工程と、
前記ロック部材の係合部を前記第１の筒状部材に取着させる工程とを具備する方法に関係している。
【０１１５】
従って、装飾部品の両側から挿入された２つの部材を使用することにより、ライニング（第１の筒状部材とロック部材）は、ビーズにこれを変形しないで装着され得る。このことは、予め装飾されたライニングや複数の部材からなるライニングのような比較的複雑な挿入部が使用されることを可能にしている。
【０１１６】
幾つかの実施の形態では、前記係合部は、前記筒状部材に、雄型／雌型ロック機構により取着されている。
【０１１７】
幾つかの実施の形態において、この方法は、更に、前記自己支持のハウジングの第１の開口又は第２の開口から自己支持のハウジングの透孔の中に、第２の筒状部材を挿入する工程を具備し、ここで、前記第１の筒状部材と、ロック部材の前記係合部とは、第２の筒状部材の中に挿入されている。
【０１１８】
幾つかの実施の形態において、前記装飾部品は、本願発明の第５の態様に関連して記載された装飾部品である。
【０１１９】
本願発明の夫々異なる実施の形態は、装飾部品として、複数の装飾部品と装飾部品のための筒状部材とを備えたブレスレッド又はネックレスを含んでいる異なる仕様と、上述されかつこれに従った装飾部品を製造するための方法とで実行され得、各々は、上述された態様の少なくとも１つと関連して説明された利益及び効果の少なくとも１つを奏することができ、また、各々は、従属請求項に記載され、及び／又は上述された態様の少なくとも１つに関連して記載された好ましい実施の形態に対応した１又は複数の実施の形態を有することができる。
【０１２０】
更に、ここに記載された実施の形態の１つと関連して記載された実施の形態は、他の態様に等しく適用され得ることは、判るであろう。本願発明の第１の態様に関連して記載された第１の筒状部材の態様は、本願発明の第４の態様に関連して記載された筒状部材に適用され得る。又、この反対も可能である。同様に、本願発明の第１の態様に関連して記載された装飾部品に関して記載された態様は、本願発明の第３の態様に関連して記載された筒状部材に関して記載された方法に適用され得る。又、この反対も可能である。願発明の第５の態様に関連して記載された装飾部品に関して記載された更なる態様は、本願発明の第６の態様に関連して記載された方法に適用され得る。又、この反対も可能である。
【図面の簡単な説明】
【０１２１】
【図１ａ】図１ａは、本願発明の一実施の形態に係わる装飾部品を示す図である。
【図１ｂ】図１ｂは、本願発明の一実施の形態に係わる装飾部品を示す図である。
【図１ｃ】図１ｃは、本願発明の一実施の形態に係わる装飾部品を示す図である。
【図２】図２は、本願発明の一実施の形態に係わる装飾部品を示す図である。
【図３】図３は、本願発明の一実施の形態に係わる装飾部品を示す図である。
【図４ａ】図４ａは、本願発明の一実施の形態に係わる第１の筒状部材を示す図である。
【図４ｂ】図４ｂは、本願発明の一実施の形態に係わる第１の筒状部材を示す図である。
【図４ｃ】図４ｃは、本願発明の一実施の形態に係わる第１の筒状部材を示す図である。
【図４ｄ】図４ｄは、本願発明の一実施の形態に係わる第１の筒状部材を示す図である。
【図５ａ】図５ａは、本願発明の一実施の形態に係わるグリップ部材を示す図である。
【図５ｂ】図５ｂは、本願発明の一実施の形態に係わるグリップ部材を示す図である。
【図６ａ】図６ａは、本願発明の一実施の形態に係わる自己支持のハウジングを示す図である。
【図６ｂ】図６ｂは、本願発明の一実施の形態に係わる自己支持のハウジングを示す図である。
【図７ａ】図７ａは、本願発明の一実施の形態に係わる第２の筒状部材を示す図である。
【図７ｂ】図７ｂは、本願発明の一実施の形態に係わる第２の筒状部材を示す図である。
【図８ａ】図８ａは、本願発明の一実施の形態に係わるロック部材を示す図である。
【図８ｂ】図８ｂは、本願発明の一実施の形態に係わるロック部材を示す図である。
【図８ｃ】図８ｃは、本願発明の一実施の形態に係わるロック部材を示す図である。
【図９】図９は、本願発明の一実施の形態に係わる装飾部品を示す図である。
【０１２２】
図である。
【図１０ａ】図１０ａは、本願発明の一実施の形態に係わる第１の筒状部材を示す図である。
【図１０ｂ】図１０ｂは、本願発明の一実施の形態に係わる第１の筒状部材を示す図である。
【図１０ｃ】図１０ｃは、本願発明の一実施の形態に係わる第１の筒状部材を示す図である。
【図１０ｄ】図１０ｄは、本願発明の一実施の形態に係わる第１の筒状部材を示す図である。
【図１１ａ】図１１ａは、本願発明の一実施の形態に係わるロック部材を示す図である。
【図１１ｂ】図１１ｂは、本願発明の一実施の形態に係わるロック部材を示す図である。
【図１１ｃ】図１１ｃは、本願発明の一実施の形態に係わるロック部材を示す図である。
【図１２】図１２は、本願発明の一実施の形態に係わる装飾部品を示す図である。
【図１３ａ】図１３ａは、本願発明の一実施の形態に係わる第１の筒状部材を示す図である。
【図１３ｂ】図１３ｂは、本願発明の一実施の形態に係わる第１の筒状部材を示す図である。
【図１３ｃ】図１３ｃは、本願発明の一実施の形態に係わる第１の筒状部材を示す図である。
【図１３ｄ】図１３ｄは、本願発明の一実施の形態に係わる第１の筒状部材を示す図である。
【図１４ａ】図１４ａは、本願発明の一実施の形態に係わるロック部材を示す図である。
【図１４ｂ】図１４ｂは、本願発明の一実施の形態に係わるロック部材を示す図である。
【図１４ｃ】図１４ｃは、本願発明の一実施の形態に係わるロック部材を示す図である。
【図１５】図１５は、本願発明の一実施の形態に係わる装飾部品を示す図である。
【図１６ａ】図１６ａは、本願発明の一実施の形態に係わる装飾部品を示す図である。
【図１６ｂ】図１６ｂは、本願発明の一実施の形態に係わる装飾部品を示す図である。
【図１６ｃ】図１６ｃは、本願発明の一実施の形態に係わる装飾部品を示す図である。
【図１７ａ】図１７ａは、本願発明の一実施の形態に係わる第１の筒状部材を示す図である。
【図１７ｂ】図１７ｂは、本願発明の一実施の形態に係わる第１の筒状部材を示す図である。
【図１８】図１８は、本願発明の一実施の形態に係わる装飾部品を示す図である。
【発明を実施するための形態】
【０１２３】
以下の記載において、参照は、どのようにして発明が実現され得るかを説明ために示す添付の図になされている。
【０１２４】
図１ａ乃至１ｃは、本願発明の一実施の形態に係わる、透孔軸１０４を規定していね透孔を備えたブレスレッド及び／又はネックレスのための１００を示している。図１ａは、側面図を示し、図１ｂは、正面図を示し、そして、図１ｃは、図１ｂに示された線Ａに沿った断面図を示している。１００は、透孔１５０を備えた１０１と、１０１の透孔１５０に挿入された挿入アッセンブリ１０２，１０３とを有している。前記透孔は、１５１の第１の側の第１の開口と１５２の側の第２の開口とを有している。前記挿入アッセンブリ１０２，１０３は、第１の筒状部材１０２とグリップ部材１０３（概略的にのみ示されている）とを有している。前記グリップ部材１０３は、ブレスレッド及び／又はネックレスの一部を摩擦係合で掴むように構成されている。前記第１の筒状部材１０２は、透孔１４０を有している。この透孔は、一実施の形態では、１００を完全に貫通した透孔を形成している。しかし、本願発明の他の実施の形態では、第１の筒状部材１０２の透孔は、１００の透孔の制限された部分のみを形成している。この装飾部品の透孔１５０は、ブレスレッド及び／又はネックレスの細長い部品に装飾部品が繋がれることを可能にしている。前記自己支持のハウジングの透孔１５０は、変化している幅（透孔軸に垂直な面内で見て）を有している。即ち、自己支持のハウジングの透孔１５０は、自己支持のハウシジンの第１の開口１５１及び第２の開口１５２の所よりも中心部で広くなっている。自己支持のハウジングの透孔１５０の内面は、流体、例えば、空気を介して、前記挿入アッセンブリ１０２，１０３とは、離間されている。第１の筒状部材１０２は、前記グリップ部材１０３を前記装飾部品の透孔１０５内に取着させるように構成されている。これは、前記グリップ部材１０３を第１のグリップ部材１０２に、例えば、これら２つの部材を接着させるか、例えば、図２に示されているように、グリップ部材１０３を第１の筒状部材１０２の凹所内に位置付けることにより、なされ得る。第１の筒状部材１０２は、代わって、図３乃至５ｂを参照して説明されるように、グリップ部材１０３を装飾部品の透孔１５０内に、グリップ部材の一部の外周面が覆われることにより、取着し得る。
【０１２５】
図２は、本願発明の一実施の形態に係わる、透孔軸２０４を規定している透孔を有するブレスレッド及び／又はネックレスのための装飾部品２００の断面図を示している。この装飾部品２００は、透孔２５０を備えた自己支持のハウジング２０１と、この自己支持のハウジング２０１の透孔２５０中に挿入された挿入アッセンブリ２０２，２０３とを有している。前記透孔２５０は、自己支持のハウジングの第１の側の第１の開口２５１と、自己支持のハウジングの第２の側の第２の開口２５２とを有している。前記挿入アッセンブリ２０２，２０３は、第１の筒状部材２０２とグリップ部材２０３とを有している。グリップ部材２０３は、ブレスレッド及び／又はネックレスの一部を摩擦持係合で把持するように構成されている。グリップ部材２０３は、筒状をしている。前記第１の筒状部材２０２は、グリップ部材を装飾部品の開口中に、透孔２４０の内壁の中央部分に凹所２９０を有し、この中にグリップ部材２０３が位置付けられていることにより、取着されている。オプションでは、前記グリップ部材２３０は、第１の筒状部材２０２の内面に更に取着されている。第１の筒状部材の透孔２４０は、装飾部品２００の完全な透孔を形成している。
【０１２６】
図３は、本願発明の一実施の形態に係わる装飾部品３００の分解図を示している。この装飾部品３００は、挿入アッセンブリ３７０と、第２の筒状部材３０５と、自己支持のハウジング３０１ト、ロック部材３０６とを有している。前記挿入アッセンブリ３７０は、第１の筒状部材３０２と、グリップ部材３０３とを有している。また、透孔軸３０４が示されている。前記第１の筒状部材３０２は、透孔を有し、また、図４ａ乃至４ｄを参照して後で詳しく説明されるように、カラー３２４と、第１の部分３２１と、第２の部分３２２と、第３の部分３２３とを備えている。前記ロック部材３０６は、透孔を有し、また、前記挿入アッセンブリ３７０と係合するための係合部３６１と、自己支持のハウジング３０１の外に位置されるためのカラー３６２とを備えている。この装飾部品３００は、最初に挿入アッセンブリ３７０を組み立てることにより、製造され／組立てられ得る。挿入アッセンブリ３７０は、グリップ部材３０３を第１の筒状部材３０２の前記第２の部分３２２の周りに、グリップ部材３０３の把持部（図示されず）が、第１の筒状部材３０２の周方向の複数の開口を通って延びるように、位置付けることにより、組立てられ得る。次に挿入アッセンブリ３７０は、第２の筒状部材３０５の中に挿入され得る。そして、第２の筒状部材を備えた挿入アッセンブリ３７０は、自己支持のハウジングの透孔３５０に、カラー３２４が自己支持のハウジング３０１の外に
位置されるように、挿入され得る。代わって、第２の筒状部材３０５が、挿入アッセンブリ３７０が挿入される前に、自己支持のハウジングの透孔３５０の中に挿入され得る。前記挿入アッセンブリ３７０及び／又は第２の筒状部材３０５が、第１の開口３５１を介して自己支持のハウジングの前記透孔３５１に挿入され得る。前記挿入アッセンブリ３７０及び／又は第２の筒状部材３０５は、代わって、自己支持のハウジング３０１が完全に形成される／組み立てられる前に、自己支持のハウジングの透孔１５０の中に挿入され得る。これは、例えば、挿入アッセンブリ３７０及び／又は第２の筒状部材が、自己支持のハウジング３０１の第１の半体の中に挿入され、この後に、自己支持のハウジング３０１の第２の半体が、前記第１の半体に取着されて、挿入アッセンブリ３７０が透孔３５０の中に挿入されている状態の仕上げられた自己支持のハウジング３０１が形成される、ことによりなされ得る。最後に、ロック部材３０６が、自己支持のハウジングの透孔３５０の第２の開口３５２の中に挿入され、係合部３６１が、第１の筒状部材３０２に装着される。
【０１２７】
図４ａ乃至４ｄは、本願発明の一実施の形態に係わる透孔を備えた第１の筒状部材を示している。図４ａ乃至４ｄに示されている第１の筒状部材は、図３に示されている第１の筒状部材３０２に対応し得る。図４ａは、側面図を示し、図４ｂは、線Ａに沿った断面図を示し、図４ｃは、正面図を示し、また、図４ｄは、背面図を示している。第１の筒状部材４０２は、
筒状部材の透孔軸４０４を規定している透孔４７４を有している。第１の筒状部材４０２が、本願発明に係わる装飾部品の中に位置付けられているときに、筒状部材の前記透孔軸と、装飾部品の透孔軸とは、一致するであろう。第１の筒状部材４０２は、第１の部分４２１と第２の部分４２２と、第３の部分とを有している。第２の部分４２２の最大幅は、第１の部分４２１及び第３の部分４２３の最大幅より小さい。第１の筒状部材４０２は、更に、カラー４２４と、第１の周壁の開口４２６と、第２の周壁の開口４２７と、第３の周壁の開口４２８とを有している。これら周壁の開口４２６，４２７，４２８の各々は、筒状部材の透孔軸４０４に沿って延びている。また、これら周壁の開口４２６，４２７，４２８は、筒状部材の透孔軸４０４に沿って延びている壁４７１，４７２，４７３により互いに離間されている。これら周壁の開口４２６，４２７，４２８の各々は、第１の筒状部材の全周のＢパーセント延びている。この実施の形態では、示されたＢは、２０．８％に、即ち、７５度に等しい。これに対応して、前記壁４７１，４７２，４７３の各々は、第１の筒状部材の全周のＣパーセント延びている。この実施の形態では、示されたＣは、１２．５％に等しい。周壁の開口４２６，４２７，４２８は、グリップ部材の把持部を通して、第１の筒状部材４０２の透孔４７４の中へと延びることを
可能にして、把持部がブレスレッド及び／又はネックレスの細長い部品を把持することを可能にしている。前記カラー４２４は、自己支持のハウジングに対して透孔軸に沿って第１の方向に第１の筒状部材４０２が動くことを阻止するように、自己支持のハウジングの外面と当接するための面４７５を有している。透孔４７４の幅は、図４ａに破線で示されているように、前記第３の部分４２３の一部中に僅かに延びている。このことにより、ロック部材の係合部が受け入れられて、ロック部材の透孔と第１の筒状部材の透孔とが一緒になって装飾部品の透孔を形成することが可能となっている。第１の筒状部材４０２は、オプションでは、第１の筒状部材４０２をロック部材の係合部に機械的に取着させるための機械的なロック手段４２５、例えば、雄型／雌型ロック機構、を更に有し得る。幾つかの実施の形態では、前記第１の筒状部材４０２は、１mmと３mmとの間の、筒状部材の透孔軸に沿った長さを有している。
【０１２８】
図５ａ及び５ｂは、本願発明の一実施の形態に係わるグリップ部材を示している。図５ａは、側面図を示し、また、図５ｂは、正面図を示している。図５ａ及び５ｂに示されているグリップ部材５０３は、図３に示されているグリップ部材３０３に対応している。このグリップ部材は、外周面５３２と内周面５３６とを備えた筒状部５３１により構成されている。このグリップ部材５０３は、更に、夫々が筒状部５３１の前記内周面５３６から突出している第１のグリップ部５３３と、第２のグリップ部５３４と、第３のグリップ部５３５とを有している。これらグリップ部５３３，５３４，５３５の各々は、筒状部５３１の内周面５３６のＡパーセントから突出している。この実施の形態で、示されたＡは、１９．４％に、即ち、７０度に等しい。グリップ部５３３，５３４，５３５は、ブレスレッド及び／又はネックレスの細長い部品を弾性的に掴むために使用される。このグリップ部材５０３は、可撓性材料、例えば、シリコーンの様な材料により形成され得る。グリップ部材５０３は、図４ａ乃至４ｄに示されているような第１の筒状部材４０２に以下のようにして装着されることができる。第１のグリップ部５３３が前記第１の周壁の開口４２６とアラインメントされ、第２のグリップ部５３４が前記第２の周壁の開口４２７とアラインメントされ、そして、第３のグリップ部５３５が前記第３の周壁の開口４２８とアラインメントされ、かして、第１のグリップ部５３３が第１の周壁の開口４２６を通って延び、第２のグリップ部５３４が第２の周壁の開口４２７を通って延び、第３のグリップ部５３５が第３の周壁の開口４２８を通って延び、また、筒状部５３１の内周面５３６の一部が、第１の筒状部材４０２の外周面の一部４７１，４７２，４７３の上に乗るまで、第１の筒状部材４０２の周りでグリップ部材５０３を引っ張ることによりグリップ部材５０３は、第１の筒状部材５０２に装着される。
【０１２９】
図６ａ及び６ｂは、本願発明の一実施の形態に係わる自己支持のハウジングを示している。図６ａは、側面図を示し、また図６ｂは、正面図を示している。図６ａ及び６ｂに示されている自己支持のハウジング６０１は、図３に示されている自己支持のハウジング３０１に対応している。この自己支持のハウジング６０１は、自己支持のハウジングの第１の側の第１の開口６５１と自己支持のハウジングの第２の側の開口６５２とを備えた透孔６５０を有している。この自己支持のハウジングの透孔６５０は、変化している幅（透孔軸に垂直な面内で見て）を有している。即ち、自己支持のハウジングの透孔６５０は、自己支持のハウシジンの第１の開口６５１及び第２の開口６５２の所よりも中心部で広くなっている。自己支持のハウジング６０１は、第１の筒状部材のカラーの面と当接するための平坦面６５３を第１の開口６５１の所に有している。対応して、自己支持のハウジング６０１は、ロック部材のカラーの面と当接するための平坦面６５４を有している。
【０１３０】
図７ａ及び７ｂは、本願発明の一実施の形態に係わる第２の筒状部材を示す図である。図７ａは、側面図を示し、また図７ｂは、正面図を示している。図７ａ及び７ｂに示されている第２の筒状部材７０５は、図３に示されている第２の筒状部材３０５に対応し得る。この第２の筒状部材は、透孔７５５を有している。この透孔内に、グリップ部材が装着された第１の筒状部材が位置され得る。
【０１３１】
図８ａ及び８ｂは、本願発明の一実施の形態に係わるロック部材を示す図である。図８ａは、上面図を示し、図８ｂは、背面図を示し、また図８ｃは、正面図を示している。図８ａ乃至８ｃに示されているロック部材８０６は、図３に示されているロック部材３０６に対応し得る。このロック部材８０６は、第１の筒状部材の一部に装着されるための係合部８６１と、自己支持のハウジングの外に位置されるためのカラー８６２と、透孔８６５とを有している。前記係合部８６１は、オプションでは、第１の筒状部材４０２を係合部８６１に機械的に取着させるための機械的なロック手段、８６４、例えば、雄型／雌型ロック機構、を更に有し得る。前記カラー８６２は、自己支持のハウジングの面と当接するための平坦面８６３を有している。
【０１３２】
図９は、本願発明の一実施の形態に係わる、可能なディメンションを有している装飾部品の分解斜視図を示している。この装飾部品９００は、第１の筒状部材９０２と、グリップ部材９０３と、自己支持のハウジング９０１と、第２の筒状部材９０５と、ロック部材９０６とを有している。
【０１３３】
図１０ａ乃至１０ｄは、本願発明の一実施の形態に係わる第１の筒状部材を示す図である。図１０ａは、上面図を示し、図１０ｂは、側面図を示し、図１０ｃは、正面図を示し、そして、図１０ｄは、背面図を示している。この第１の筒状部材１００２は、透孔１００２を有し、カラー１０２４と、第１の部分１０２１と、第２の部分１０２２と、第３の部分１０２３とを備えている。前記カラー１０２４と、第１の部分１０２１と、第２の部分１０２２とは、図４ａ乃至４ｄに示されている第１の筒状部材の対応した部品と同じであり得る。前記第３の部分１０２３は、雄型／雌型ロック機構１０７５，１０７６の雌型部の形態の機械的なロック手段を有している。この雌型部１０７５，１０７６は、夫々透孔軸に沿って延びた第１の開口１０７５と第２の開口１０７６とを有している。これら第１の開口１０７５と第２の開口１０７６とは、互いに対向して位置されている。
【０１３４】
図１１ａ乃至１１ｄは、本願発明の一実施の形態に係わるロック部材１１０６を示している。図１１ａは、上面図を示し、図１１ｂは、正面図を示し、そして、図１１ｃは、背面図を示している。このロック部材１１０６は、透孔１１６５を有し、またカラー１１６２と係合部１１６１を備えている。カラー１１６２は、図８に示されているロック部材のカラーと同じであり得る。前記係合部１１６１は、雄型／雌型ロック機構１０７５，１０７６の雄型部１１６６，１１６７の形態の機械的なロック手段を有している。この雄型部１１６６，１１６７は、第１の可撓性部材１１６６と第２の可撓性部材１１６７とを有している。これら第１及び第２の可撓性部材１１６６、１１６７は、夫々、突出部１１６８，１１６９を有している。図１０ａ乃至１０ｃと図１１ａ乃至１１ｃとに示されている雄型／雌型ロック機構は、一緒に機能するように構成され、かくして前記突出部１１６８，１１６９は、前記開口１０７５，１０７６と適合するように構成されている。ロック部材１１０６は、第１の筒状部材１００２に、これら両者を一緒に、雄型部が雌型部に当接して、第１及び第２の可撓性部材１１６６，１１６７が第１の形状から第２の形状に変形するまで、即ち、第１及び第２の可撓性部材１１６６，１１６７が共に徐々に内方に曲げられまで動かすことにより、取着され得る。これは、２つの可撓性部材１１６６，１１６７の湾曲された前面と、第１の筒状部材１００２の透孔１０７４のリム１０７７との間の相互作用の結果である。２つの可撓性部材１１６６，１１６７が、第１の筒状部材１００２の２つの開口１０７５，１０７６とアラインメントされると、２つの可撓性部材１１６６，１１６７は、ほぼ第１の位置へと跳ね戻り、２つの可撓性部材の突出部１１６６，１１６７が前記開口１０７５，１０７６と係合し、ロック部材１１０６を第１の筒状部材１００２にロックさせる。かくして、ロック部材１１０６は、第１の筒状部材１００２に、両者間の純粋な変換（pure translation）により、装着されることができる。前記雄型／雌型ロック機構１０７５，１０７６，１１６６，１１６７は、雄型／雌型部分の自由位置から雄型／雌型のロック位置への変換が、雄型／雌型のロック位置から雄型／雌型の自由位置への変換よりも小さい力が要求されるスナップロック形式である。これは、突出部１１６８，１６９と開口１０７５，１０７６との特別な形状のためである。このことは、ロック部材１１０６と第１の筒状部材１００２とは、代表的には、永久に取着されるので、有効である。
【０１３５】
図１２は、本願発明の一実施の形態に係わる、図１０ａ乃至１０ｄと図１１ａ乃至１１ｃを参照して説明されたような第１の筒状部材とロック部材とを有する完全に組み立てられた装飾部品の中心での断面を示す。この装飾部品１２００は、自己支持のハウジング１２０１と、第１の筒状部材１２０２と、グリップ部材１２０３と、ロック部材１２０６と、第２の筒状部材１２０５とを有している。装飾部品１２００は、透孔軸を規定している透孔１２５０を有している。前記グリップ部材１２０３は、図５ａ及び５ｂに示されたグリップ部材と同じもので良く。自己支持のハウジング１２０１は、図６ａ及び６ｂに示された自己支持のハウジングと同じもので良く、また、第２の筒状部材１２０５は、図７ａ及び７ｂに示された筒状部材と同じもので良い。グリップ部材１２０３のグリップ部が、装飾部品１２００の透孔１２５０の中にどのように突出して、突出部が、ブレスレッド及び／又はネックレスの細長い部品、例えば、ブレスレッド及び／又はネックレスのチェーンを摩擦的に把持可能である
図１３ａ乃至１３ｄは、本願発明の一実施の形態に係わる第１の筒状部材を示示している。図１３ａは、上面図を示し、図１３ｂは、側面図を示し、図１３ｃは、正面図を示し、そして、図１３ｄは、背面図を示している。第１の筒状部材１３０２は、透孔１３７４を備え、また、カラー１３２４と、第１の部分１３２１と、第２の部分１３２２と、第３の部分１３２３とを有している。前記カラー１３２４と、第１の部分１３２１と、第２の部分１３２２とは、図５ａないし４ｄに示された第１の筒状部材の対応した部分と同じで良い。前記第３の部分１３２３は、雄型／雌型ロック機構１３７５，１３７６の雌型部の形態である機械的なロック手段を有している。雌型部１０７５，１０７６は、第１の開口又は凹所１３７５と第２開口又は凹所１３７６とを有している。第１の開口１３７５と第２の開口１３７６とは、互いに対向するように位置されている。
【０１３６】
図１４ａ乃至１４ｄは、本願発明の一実施の形態に係わるロック部材を示している。図１４ａは、上面図を示し、図１４ｂは、正面図を示し、そして、図１４ｃは、背面図を示している。このロック部材１４０６は、透孔１４６５を有し、また、カラー１４６２と係合部１４６１とを備えている。カラー１４６２は、図８に示されているロック部材のカラーと同じもので良い。係合部１４６１は、雄型／雌型ロック機構の雄型部１４６８，１４６９の形態の機械的なロック手段を有している。雄型部１４６８，１４６９は、第１の突出部１４６８と第２の突出部１４６９とを有している。図１３ａ乃至１３ｃと図１１ａ乃至１１ｃに示されている雄型／雌型ロック機構は、一緒に機能するように構成され、かくして突出部１４６８，１４６９は、開口１３７５、１３７６と適合するように構成されている。前記雄型／雌型ロック機構は、回転形式のものである。即ち、最初に、第１の筒状部材１３０２に対して自由回転可能な向きにロック部材１４０６を回転させて向かわせ（突出部１４６８，１４６９が開口１３７５，１３７６とアラインメントされた状態）、次に、ロック部材１４０６を透孔軸に沿って移動させ、最後に、ロック部材１４０６を自由回転可能な向きからロックされる回転向きへと回転させることにより、ロック部材１４０６は、第１の筒状部材１３０２に装着され得る。
【０１３７】
図１５は、本願発明の一実施の形態に係わる、図１３ａ乃至１３ｄと図１４ａ乃至１４ｃ
を参照して説明された第１の筒状部材とロック部材とを有する装飾部品を示す図である。この装飾部品１５００は、自己支持のハウジング１５０１と、第１の筒状部材１５０２と、グリップ部材１５０３と、ロック部材１５０６と、第２の筒状部材１２０５とを有している。また、この装飾部品１５００は、透孔軸１５０４を規定している透孔１５５０を有している。前記グリップ部材１５０３は、図５ａ及び５ｂに示されているグリップ部材と同じものでも良く、自己支持のハウジング１５０１は、図６ａ及び６ｂに示されている自己支持のハウジングと同じものでも良く、また、第２の筒状部材１２０５は、図７ａ及び７ｂに示されている第２の筒状部材と同じものでも良い。  
図１６ａ乃至１６ｃは、本願発明の一実施の形態に係わる装飾部品を示している。図１６ａは、側面図を示し、図１６ｂは、正面図を示し、そして、図１６ｃは、図１６ｂに示されている線Ａに沿った断面図を示している。この装飾部品１６００は、ブレスレッド及び／又はネックレス、例えばビーズで使用されるための装飾部品である。装飾部品１６００は、ブレスレッド及び／又はネックレスの細長い部品に装飾部品が繋がれることを可能にしている透孔１６９８を有している。この透孔１６９８は、透孔軸１６０４を規定している。この装飾部品１６００は、自己支持のハウジング１６０１と、第１の筒状部材１６０２と、ロック部材１６０６とを有している。前記自己支持のハウジング１６０１は、このハウジングの第１の側に第１の開口１６５１を有し、また、ハウジングの第２の側に第２の開口１６５２を有している。前記第２の筒状部材１６０２は、透孔１６４０を有し、また、自己支持のハウジングの第１の開口１６５１を介して自己支持のハウジングの透孔１６５０の中に挿入されている。前記ロック部材１６０６は、透孔１６６５を有し、また、自己支持のハウジングの第２の開口１６５２を介して自己支持のハウジングの透孔１６５０の中に挿入されている。前記ロック部材１６０６と第１の筒状部材１６０２とは、ボックス１６９９により概略的に示されているように装着されている。第１の筒状部材の透孔１６４０とロック部材の透孔１６６５とは、一緒になって、装飾部品１６００の透孔を構成している。装飾部品１６００は、自由に移動可能な装飾部品でも、ブレスレッド及び／又はネックレスの細長い部品を弾性的に掴むように構成された装飾部品でも良い。  
図１７ａ及び１７ｂは、本願発明の一実施の形態に係わる、自由に移動可能な装飾部品のための第１の筒状部材を示している。図１７ａは、上面図をしめしており、また図１７ｂは、側面図を示している。第１の筒状部材１７０２は、透孔１７７４を有している。この第１の筒状部材は、自己支持のハウジングの外側に位置されるためのカラー１７２４と、雄型／雌型ロック機構の雌型部１７７５，１７７６の形態の機械的なロック手段とを有している。雌型部１７７５，１７７６は、夫々透孔軸に沿って延びた第１の開口１７７５と第２の開口１７７６とを有している。これら第１の開口１７７５と第２の開口１７７６とは、互いに対向するように位置されている。前記雄型／雌型ロック機構は、図１１ａ乃至１１ｄに示されているロック部材１１０６の雄型／雌型ロック機構と一緒に機能するように構成されている。即ち、ロック部材１１０６は、第１の筒状部材１７０２に、これらの雄型／雌型ロック機構により、装着され得る。  
図１８は、本願発明の一実施の形態に係わる、自由に移動可能なように構成され、完全に組み立てられた装飾部品の中心での断面を示している。この装飾部品１８００は、自己支持のハウジング１８０１と、第１の筒状部材１８０２ト、ロック部材１８０６と、第２の筒状部材１８０５とを有している。また、この装飾部品１８００は、透孔軸１８０４を規定している透孔１８５０を有している。前記第２の筒状部材１８０５は、図７ａ及び７ｂに示されている第２の筒状部材と同じもので良い。前記第１の筒状部材１８０２は、図１７ａ及び１７ｂを参照して記載されているような第１の筒状部材である。また、ロック部材１８０６は、図１１ａ乃至１１ｃを参照して記載されているようなロック部材である。第１の筒状部材１８０２の開口及び／又はロック部材１８０６の開口は、オプションとして、事前に装飾され、即ち、円により概略的に示されているように装飾溝が設けられ得る。
【０１３８】
幾つかの実施の形態が詳細に示されまた記載されているけれども、本願発明は、これらに限定されるものではなく、請求項に規定された内容の範囲内で、他の態様で実現されることが可能である。特に、本願発明の範囲を逸脱しないで、他の実施の形態が、利用され得、また、構造及び機能の変更がなされ得ることは、理解されるであろう。
【０１３９】
幾つかの手段に参照符号を付してある装置の請求項で、これら幾つかの手段は、同じ機構により具体化され得る。また、所定のものが互いに異なる従属請求項に記載され、もしくは異なる実施の形態に記載されているからといって、これは、これらものの組合せが都合良く使用されることができないということを示しているものではない。
【０１４０】
この明細書で使用されている用語"comprise/comprising"は、延べられた態様、一体物、工程、または、部品があることを特定するためであって、１もしくは複数の態様、一体物、工程、部品、もしくは、これらの組合せの存在又は追加を除外するものではないことは、強調されるべきである。
【図１ａ】
2016506798.tif 000003
【図１ｂ】
2016506798.tif 000004
【図１ｃ】
2016506798.tif 000005
【図２】
2016506798.tif 000006
【図３】
2016506798.tif 000007
【図４ａ】
2016506798.tif 000008
【図４ｂ】
2016506798.tif 000009
【図４ｃ】
2016506798.tif 000010
【図４ｄ】
2016506798.tif 000011
【図５ａ】
2016506798.tif 000012
【図５ｂ】
2016506798.tif 000013
【図６ａ】
2016506798.tif 000014
【図６ｂ】
2016506798.tif 000015
【図７ａ】
2016506798.tif 000016
【図７ｂ】
2016506798.tif 000017
【図８ａ】
2016506798.tif 000018
【図８ｂ】
2016506798.tif 000019
【図８ｃ】
2016506798.tif 000020
【図９】
2016506798.tif 000021
【図１０ａ】
2016506798.tif 000022
【図１０ｂ】
2016506798.tif 000023
【図１０ｃ】
2016506798.tif 000024
【図１０ｄ】
2016506798.tif 000025
【図１１ａ】
2016506798.tif 000026
【図１１ｂ】
2016506798.tif 000027
【図１１ｃ】
2016506798.tif 000028
【図１２】
2016506798.tif 000029
【図１３ａ】
2016506798.tif 000030
【図１３ｂ】
2016506798.tif 000031
【図１３ｃ】
2016506798.tif 000032
【図１３ｄ】
2016506798.tif 000033
【図１４ａ】
2016506798.tif 000034
【図１４ｂ】
2016506798.tif 000035
【図１４ｃ】
2016506798.tif 000036
【図１５】
2016506798.tif 000037
【図１６ａ】
2016506798.tif 000038
【図１６ｂ】
2016506798.tif 000039
【図１６ｃ】
2016506798.tif 000040
【図１７ａ】
2016506798.tif 000041
【図１７ｂ】
2016506798.tif 000042
【図１８】
2016506798.tif 000043
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
ブレスレッド及び／又はネックレスのための装飾部品（１００）であって、この装飾部品（１００）は、装飾部品（１００）がブレスレッド及び／又はネックレスの細長い部品に繋がれることを可能にすると共に透孔軸を規定している透孔（１４０）を有し、この装飾部品（１００）は、
自己支持のハウジングの第１の側の第１の開口（１５１）、並びに自己支持のハウジングの第２の側の第２の開口（１５２）を有する透孔（１５０）を備えた自己支持のハウジング（１０１）と、
自己支持のハウジングの前記透孔中に挿入される挿入アッセンブリ（１０２，１０３）とを具備し、
前記挿入アッセンブリ（１０２，１０３）は、装飾部品の前記透孔の少なくとも一部を形成する透孔（１４０）を有する第１の筒状部材（１０２）と、前記ブレスレッド及び／又はネックレスの一部を摩擦係合で把持するためのグリップ部材（１０３）とから組立てられ、また、前記第１の筒状部材（１０２）は、装飾部品の前記透孔中で、前記グリップ部材（１０３）を取着するように構成されており、
前記第１の筒状部材(１０２)は、前記透孔軸(１０４)に沿って延びた第１の周壁の開口(４２６)を有し、また、前記グリップ部材(１０３)は、ブレスレッド及び／又はネックレスの前記細長い部品を摩擦係合で把持するための第１のグリップ部(５３３)を有し、この第１のグリップ部(５３３)は、前記第１の周壁の開口を通るように延びている、装飾部品。
【請求項２】
前記挿入アッセンブリは、
自己支持のハウジングの前記第１の開口を通って自己支持のハウジングの前記透孔中に挿入される請求項１の装飾部品。
【請求項３】
前記グリップ部材は、筒状部を有し、また、前記グリップ部は、前記筒状部の内面から突出し、グリップ部材の筒状部は、前記第１の筒状部材の一部を囲んでいる請求項１又は２の装飾部品。
【請求項４】
前記第１の筒状部材は、透孔軸に沿って延びた第２の周壁の開口を有し、また、前記グリップ部材は、グリップ部材の前記筒状部の内面から突出している第２のグリップ部を有し、この第２のグリップ部は、前記第２の周壁の開口を通るように延びている請求項３の装飾部品。
【請求項５】
前記第１の筒状部材は、透孔軸に沿って延びた第３の周壁の開口を有し、また、前記グリップ部材は、グリップ部材の前記筒状部の内面から突出している第３のグリップ部を有し、この第３のグリップ部は、前記第３の周壁の開口を通るように延びている請求項４の装飾部品。
【請求項６】
前記第１の筒状部材は、第１の部分及び第２の部分を有し、この第２の部分は、第１の部分の最大幅よりも狭い最大幅を有し、また、グリップ部材の前記筒状部は、第１の筒状部材の前記第２の部分の周りに適合するように配置されて、第１の筒状部材の前記第１の部分と当接し、この結果、前記グリップ部材は、第１の筒状部材に対する、透孔軸に沿った第１の方向への動きが阻止されている、請求項３乃至５のいずれか１の装飾部品。
【請求項７】
前記第１の筒状部材は、更に、第３の部分を有しており、また、前記第２の部分は、第１の部分及び第３の部分の最大幅よりも狭い最大幅を有し、そして、グリップ部材の前記筒状部は、第１の筒状部材の前記第３の部分と当接して、第１の筒状部材に対する、透孔軸に沿った方向へのグリップ部材の動きを阻止する、請求項６の装飾部品。
【請求項８】
この装飾部品は、更に、第２の筒状部材を有しており、前記第１の筒状部材は、この第２の筒状部材の中に配置される請求項１乃至７のいずれか１の装飾部品。
【請求項９】
挿入アッセンブリの前記第１の筒状部材は、第１端に、更にカラーを有し、このカラーは、前記自己支持のハウジングの第１の開口の所で、自己支持のハウジングの外に位置し、また、装飾部品に対して、前記透孔軸に沿った第１の方向への挿入アッセンブリの第１の筒状部材の動きを阻止するように自己支持のハウジングの外面と当接する表面を有している、請求項１乃至８のいずれか１の装飾部品。
【請求項１０】
この装飾部品は、更に、透孔を備えたロック部材を有し、このロック部材は、前記自己支持のハウジングの中位置される係合部と、自己支持のハウジングの前記第２の開口の所で、自己支持のハウジングの外に位置されるカラーとを有し、前記係合部は、前記第１の筒状部材に装着され、また、前記カラーは、装飾部品に対して、前記透孔軸に沿った第２の方向への挿入アッセンブリの第１の筒状部材の動きを阻止するように自己支持のハウジングの外面と当接する表面を有している、請求項１乃至９のいずれか１の装飾部品。
【請求項１１】
前記係合部は、前記第１の筒状部材に、雄型／雌型ロック機構により装着され、これの雄型部は、突出部を有し、雌型部は、凹所及び／又は開口を有している、請求項１０の装飾部品。
【請求項１２】
細長い部品と、
前記細長い部品に繋がれる請求項１乃至１１のいずれ１の第１の装飾部品とを具備し、
前記第１の装飾部品は、所定の力が前記第１の装飾部品にかけられて、第１の装飾部品が、前記細長い部品に沿って動くことが可能になるまで、細長い部品に沿って第１の装飾部品を固定するように、グリップ部材が細長い部品を弾性的に把持するように、構成されている、ブレスレッド又はネックレス。
【請求項１３】
装飾部品を製造するための方法であって、この装飾部品は、装飾部品がブレスレッド及び／又はネックレスの細長い部品に繋がれることを可能にすると共に透孔軸を規定している透孔を有しており、この方法は、
自己支持のハウジングの第１の側の第１の開口、並びに自己支持のハウジングの第２の側の第２の開口を有する透孔を備えた自己支持のハウジングを与える工程と、
装飾部品の前記透孔の少なくとも一部を形成する透孔を有する第１の筒状部材と、ブレスレッド及び／又はネックレスの細長い部品を摩擦係合で把持するためのグリップ部材とを有する挿入アッセンブリを組み立てる工程と、
前記挿入アッセンブリを前記ハウジングの透孔の中に挿入する工程とを具備し、
前記第１の筒状部材は、前記透孔軸に沿って延びた第１の周壁の開口を有し、前記グリップ部材は、ブレスレッド及び／又はネックレスの細長い部品を摩擦係合で把持するための第１のグリップ部と筒状部とを有し、前記第１のグリップ部は、前記筒状部の内面から突出しており、また、前記挿入アッセンブリを組み立てる工程は、前記第１のグリップ部が、前記第１の周壁の開口とアラインメントされ、第１のグリップ部が、前記第１の周壁の開口を通って延び、前記筒状部の内面の一部が、第１の筒状部材の外面の一部の上に位置し、この結果、グリップ部材が第１の筒状部材に取着されるまで、第１の筒状部材の周りのグリップ部材を引っ張ることを有している、方法。
【請求項１４】
前記挿入アッセンブリは、前記自己支持のハウジングの第１の開口から、自己支持のハウジングの透孔中に挿入される請求項１３の方法。
【手続補正２】
【補正対象書類名】明細書
【補正対象項目名】全文
【補正方法】変更
【補正の内容】
【発明の詳細な説明】
【技術分野】
【０００１】
本出願は、ブレスレッド又はネックレスのための装飾部品に、このような装飾部品を有するブレスレッド又はネックレスに、装飾部品を製造するための方法に、そして、グリップ部材を装飾部品の透孔中に取着させるための筒状部材に関する。
【背景技術】
【０００２】
ネックレスやブレスレッドのような装飾品は、細長い部品、例えば、チェーン、ワイヤ又は糸に繋がれたビーズのような自由に移動可能な複数の装飾部品により、度々構成されている。このような自由に移動可能なビーズの全てが、ネックレスまたはブレスレッドの底部に集まってしまうのを防止するために、装飾部品には、ネックレス又はブレスレッドを掴むように構成されたストッパー機構が設けられている。このようなストッパー機構は、種々の形態で、従来から知られている。
【０００３】
ストッパー機構の従来技術のバリエーションの例は、細長い部品に摩擦力を与えるように装飾物品が中に弾性体を有して形成されているUS 2003/0154742に開示されている。同様の解決が、US 2002/0148250に開示されている。この文献では、装飾部品に、細長い部品の外径よりも僅かに短い内径を有する可撓性の弾性チューブが、装飾部品に設けられている。
【０００４】
US 206/0277945は、少なくとも２つのキャップを備えた１セットの部品により形成されたリンクを有するネックレス又はブレスレッドを開示している。前記キャップは、一方では、頭部間に装飾ケース部材を保持するように足部を組み合わせるための手段と、他方では、接続部材に対して各リンクを固定するために足部の接続部に設けられたロック手段とを有している。
【０００５】
他の従来技術のバリエーションは、WO 2006/125155に記載されている。
【０００６】
しかし、上記従来技術の装飾部品を製造するのは難しい場合もあった。更に、留める機構は、損傷し易い可能性もあった。
【０００７】
かくして、容易に製造可能である固定機構を備えた、丈夫な装飾部品を提供する問題が残っている。
【発明の概要】
【０００８】
第１の態様に係われば、本願発明は、ブレスレッド及び／又はネックレスのための装飾部品であって、この装飾部品は、装飾部品がブレスレッド及び／又はネックレスの細長い部品に繋がれることを可能にすると共に透孔軸を規定している透孔を有し、この装飾部品は、
自己支持のハウジングの第１の側の第１の開口、並びに自己支持のハウジングの第２の側の第２の開口を有する透孔を備えた自己支持のハウジングと、
自己支持のハウジングの前記透孔中に挿入される挿入アッセンブリとを具備し、
前記挿入アッセンブリは、装飾部品の前記透孔の少なくとも一部を形成する透孔を有する第１の筒状部材と、前記ブレスレッド及び／又はネックレスの一部を摩擦係合で把持するためのグリップ部材とから組立てられ、また、前記第１の筒状部材は、装飾部品の前記透孔中で、前記グリップ部材を取着するように構成され、前記第１の筒状部材は、前記透孔軸に沿って延びた第１の周壁の開口を有し、また、前記グリップ部材は、ブレスレッド及び／又はネックレスの前記細長い部品を摩擦係合で把持するための第１のグリップ部を有し、この第１のグリップ部は、前記第１の周壁の開口を通るように延びている、装飾部品に関している。
【０００９】
従って、装飾部品にグリップ部材を与えるために挿入アッセンブリを使用することにより、製造コストが低くされ得る。更に、自己支持のハウジングの中にグリップ部材を取着させるために筒状部材を使用することにより、グリップ部材は、損傷から比較的効率よく保護され得る。
【００１０】
装飾部品は、ビーズのように、装飾の目的のためにブレスレッド及び／又はネックレスに繋がれ得る如何なる部品でも良い。本願の第１の態様に係わる装飾部品は、ブレスレッド及び／又はネックレスにビーズを自由に動かすことができるように構成するために使用され得る。例えば、２つの装飾部品が、ブレスレッド及び／又はネックレスの細長い部品の所望の位置に引いて位置させられて開放されることができ、かくして、これら装飾部品は、細長い部品に留められる。従って、ブレスレッド又はネックレスは、自由に移動可能なビーズのために３つの異なる領域に分けられる。このことは、自由に移動可能なビーズの全てが一緒になってまとまることを防止するように使用され得る。
【００１１】
前記自己支持のハウジングは、装飾部品の外面を構成し得るか、装飾部品の外面を構成する他の層又は部品で覆われ得る。自己支持のハウジングは、ほぼ球形、円筒形、立方体形のような如何なる形状でも良い。自己支持のハウジングは、装飾部品の製造プロセスの間、しっかりとした取扱いが可能なような構成強度を有している。自己支持のハウジングは、装飾部品の主構成強度を与え得る。自己支持のハウジングは、金属、ガラス、木材、プラスチック、又はこれらの組合せにより形成され得る。この自己支持のハウジングの透孔は、一定の幅を有していても、変化している幅（透孔軸に垂直な面内で見て）を有していても良い。例えば、自己支持のハウジングの透孔は、第１の開口及び第２の開口の所よりも、自己支持のハウジングの中央部で広くなっていても良い。自己支持のハウジングの透孔の内面は、他の部品又は流体、例えば、空気により、挿入アッセンブリから離間されていても良い。少なくとも、自己支持のハウジングの一部は、透明又は半透明であっても良い。
【００１２】
装飾部品の個々の部材は、永久的に取着されても、又永久的でないように取着されても良い。挿入アッセンブリは、ハウジングの透孔中にハウジングの第１の開口から挿入され得る。即ち、挿入アッセンブリは、これが自己支持のハウジングの第１の開口を通って挿入可能なようなサイズと形状を有し得る。
【００１３】
第１の筒状部材は、丸いか矩形のような外形を有し得る。従って、第１の筒状部材の透孔は、丸いか矩形のような如何なる形状を有し得る。第１の筒状部材は、一体成型により、即ち、単一の型により形成され得る。第１の筒状部材は、金属及び／又はプラスチックにより形成され得る。
【００１４】
前記グリップ部材は、ブレスレッド及び／又はネックレスの細長い部品、例えば、ネックレス又はブレスレッドのチェーンもしくはストランドと強い摩擦係合接続を果たすように設定された材料で形成され得る。前記グリップ部材は、シリコーン剤のように変形可能な材料により形成され得る。
【００１５】
幾つかの実施の形態では、前記グリップ部材は、第１の材料で形成され、前記第１の筒状部材は、第２の材料で形成される。ここで、第１の材料の摩擦係数は、スターリングシルバーに比較した第２の材料の摩擦係数よりも高い。
【００１６】
前記第１の材料の摩擦係数は、スターリングシルバーに比較した第２の材料の摩擦係数よりも、少なくとも１０％，２０％，４０％又は６０％高くて良い。
【００１７】
本願発明の幾つかの実施の形態において、前記グリップ部材は、装飾部品の中央に位置されており、透孔軸に沿った自己支持のハウジングの幅の９５％，９０，８０％，７０％，６０％又は５０％よりも短い透孔軸に沿った幅を有している。
【００１８】
従って、前記グリップ部材は、良好に保護されている。かくして、より強度の優れた装飾部品が提供される。
幾つかの実施の形態では、前記グリップ部材は、筒状部を有し、また、前記グリップ部は、前記筒状部の内面から突出し、グリップ部材の筒状部は、前記第１の筒状部材の一部を囲んでいる。
【００１９】
従って、前記筒状部材は、この装飾部品の透孔の中に、グリップ部材を有効な方法で装着させ得る。
【００２０】
グリップ部材全体は、一体成型により、即ち、単一のモールドにより、なされ得る。
【００２１】
幾つかの実施の形態では、前記第１の筒状部材は、透孔軸に沿って延びた第２の周壁の開口を有し、また、前記グリップ部材は、グリップ部材の前記筒状部の内面から突出している第２のグリップ部を有し、この第２のグリップ部は、前記第２の周壁の開口を通るように延びている。
【００２２】
幾つかの実施の形態では、前記第１の筒状部材は、透孔軸に沿って延びた第３の周壁の開口を有し、また、前記グリップ部材は、グリップ部材の前記筒状部の内面から突出している第３のグリップ部を有し、この第３のグリップ部は、前記第３の周壁の開口を通るように延びている。
【００２３】
幾つかの実施の形態では、前記第１の周壁の開口、第２の周壁の開口、及び／又は第３の周壁の開口は、透孔軸に沿った前記第１の筒状部材の幅の９５％，９０，８０％，７０％，６０％又は５０％よりも短い透孔軸に沿った幅を有している。
【００２４】
幾つかの実施の形態では、前記第１の周壁の開口、第２の周壁の開口、及び／又は第３の周壁の開口の各々は、透孔軸に対して垂直な面内で、第１の筒状部材の周壁の５％と３３％との間だけ延びている。
【００２５】
幾つかの実施の形態において、前記第１の筒状部材は、第１の部分及び第２の部分を有し、この第２の部分は、第１の部分の最大幅よりも狭い最大幅を有し、また、グリップ部材の前記筒状部は、第１の筒状部材の前記第２の部分の周りにぴったりと適合するように配置されて、第１の筒状部材の前記第１の部分と当接し、この結果、前記グリップ部材は、第１の筒状部材に対する、透孔軸に沿った第１の方向への動きが阻止される。
【００２６】
幾つかの実施の形態において、前記第１の筒状部材は、更に、第３の部分を有しており、また、前記第２の部分は、第１の部分及び第３の部分の最大幅よりも狭い最大幅を有し、そして、グリップ部材の前記筒状部は、第１の筒状部材の前記第３の部分と当接して、第１の筒状部材に対する、透孔軸に沿った方向へのグリップ部材の動きを阻止する。
【００２７】
前記最大幅は、透孔軸に垂直な面内で計っている。
【００２８】
幾つかの実施の形態で、前記グリップ部材の筒状部は、前記第１の筒状部材の第１の部分及び／又は第３の部分の最大幅にほぼ等しい最大幅を有している。
【００２９】
幾つかの実施の形態において、この装飾部品は、更に、第２の筒状部材を有しており、前記第１の筒状部材は、この第２の筒状部材の中に配置される。
【００３０】
これにより、挿入アッセンブリを自己支持のハウジングの中に挿入し易くしている。
【００３１】
前記第２の筒状部材は、自己支持のハウジングの幅にほぼ等しい透孔軸に沿った幅を有し得る。かくして、この第２の筒状部材は、自己支持のハウジングの透孔の中に全体が挿入され得る。
【００３２】
幾つかの実施の形態で、挿入アッセンブリの前記第１の筒状部材は、第１端に、更にカラーを有し、このカラーは、前記自己支持のハウジングの第１の開口の所で、自己支持のハウジングの外に位置し、また、装飾部品に対して、前記透孔軸に沿った第１の方向への挿入アッセンブリの第１の筒状部材の動きを阻止するように自己支持のハウジングの外面と当接する表面を有している。
【００３３】
前記外面は、前記自己支持のハウジングの外面であり得る。前記カラーは、前記第１の筒状部材の一体的な部分であり得るか、第１の筒状部材に取着され得る。
【００３４】
幾つかの実施の形態で、この装飾部品は、更に、透孔を備えたロック部材を有し、このロック部材は、前記自己支持のハウジングの中位置される係合部と、自己支持のハウジングの前記第２の開口の所で、自己支持のハウジングの外に位置されるカラーとを有し、前記係合部は、前記第１の筒状部材に装着され、また、前記カラーは、装飾部品に対して、前記透孔軸に沿った第２の方向への挿入アッセンブリの第１の筒状部材の動きを阻止するように自己支持のハウジングの外面と当接する表面を有している。
【００３５】
従って、挿入アッセンブリは、自己支持のハウジングに有効な方法で取着され得る。
【００３６】
前記外面は、自己支持のハウジングの外面であり得る。
【００３７】
ロック部材の前記係合部とカラーとは、一体的に形成され得る。また、このロック部材は、第１の筒状部材に、接着剤又は機械的なロック機構により、装着され得る。
【００３８】
ロック部材の前記係合部は、第１の筒状部材の中に挿入されて、前記ロック部材の透孔と前記第１の筒状部材とが、一緒になってこの装飾部品の透孔を形成している。
【００３９】
幾つかの実施の形態において、前記係合部は、前記第１の筒状部材に、雄型／雌型ロック機構により装着され、これの雄型部は、突出部を有し、雌型部は、凹所及び／又は開口を有している。
【００４０】
前記係合部は、雄型部を有し得、また、前記第１の筒状部材は、雌型部を有し得る。即ち、前記係合部は、第１の筒状部材の凹所及び／又は開口と係合するように構成された突出部を有し得る。代わって、第１の筒状部材が雄型部を有し、係合部が雌型部を有していても良い。
【００４１】
幾つかの実施の形態では、前記雄型／雌型ロック機構は、雄型部及び雌型部の自由回転可能な向き及び／又は位置から、雄型部及び雌型部のロックされる回転向き及び／又は位置への移動及び／又は回転が、雄型部及び雌型部のロックされる回転向き及び／又は位置から雄型部及び雌型部の自由回転可能な向き及び／又は位置への移動及び／又は回転よりも弱い力でなされる、スナップロック形式である。
【００４２】
このことは、ロック部材と第１の筒状部材とが、代表的には永久的に取着されるような効果があり得る。
【００４３】
幾つかの実施の形態では、前記雄型／雌型ロック機構は、ロック部材が第１の筒状部材に対して自由回転可能な向きのときに、透孔軸に沿った凹所及び／又は開口中への雄型部の突出部の挿入を可能にし、ロック部材が第１の筒状部材に対してロックされる位置の時であってロック部材が第１の筒状部材に対してロックされる回転向きのときに、少なくとも透孔軸に沿った第１の方向への移動が阻止されるように形成された凹所及び／又は開口を、前記雌型部（係合部又は第１の筒状部材）が有している回転ロック形式である得る。
【００４４】
幾つかの実施の形態では、前記雄型部は、複数の突出部を有しており、また前記雌型部は、複数の凹所及び／又は開口を有している。
【００４５】
前記雄型／雌型ロック機構が回転形式のときには、前記ロック部材は、第１の筒状部材に、最初にロック部材を第１の筒状部材に対して自由回転可能な向きに回転して向かせ、次に、ロック部材が第１の筒状部材に対してロックされるになるまで、筒状部材及び／又はロック部材を透孔軸に沿って移動させ、そして、最後に、第１の筒状部材及び／又はロック部材を自由回転可能な向きからロックされる回転向きに回転させることにより、装着され得る。
【００４６】
前記雄型部の突出部及び／又は前記雌型部の凹所及び／又は開口は、自由回転可能な向きからロックされる回転向きへの回転が、ロックされる回転向きから自由回転可能な向きへの回転よりも小さい力が必要であるように、構成され得る。
【００４７】
幾つかの実施の形態において、雄型部（係合部又は第１の筒状部材）は、可撓性の部材を有する。この可撓性の部材は、雄型部が雌型部と当ったときに、第１の形状から第２の形状に変形し、そして、この可撓性の部材が、雌型部の凹所及び／又は開口とアラインメントされたときに、ほぼ第１の形状へとスナップバックして、可撓性の部材が凹所及び／又は開口と係合し、この結果、両者間での純粋な変換により、雄型部を雌型部にロックさせるように、構成されている。
【００４８】
幾つかの実施の形態では、前記雄型部は、２つの可撓性の部材を有し、また、雌型の部分は、２つの凹所及び／又は開口を有している。
【００４９】
前記２つの可撓性の部材は、雄型部の対向した両側に配置され得る。対応して、前記２つの凹所及び／又は開口は、雌型部の対向した両側に配置され得る。
【００５０】
幾つかの実施の形態では、装飾部品は、２mmと５cmとの間の透孔軸に沿った長さを有している。
【００５１】
幾つかの実施の形態では、前記第１の筒状部材は、透孔軸に沿って延びた第４の周壁の開口を有しており、また、前記グリップ部材は、グリップ部材の前記筒状部の内面から突出した第４のグリップ部を有しており、この第４のグリップ部は、前記第４の周壁の開口を通って延びている。
【００５２】
第２の態様に係われば、本願発明は、細長い部品と、
前記細長い部品に繋がれる、本願発明の第１の態様に関連して記載された第１の装飾部品とを具備し、
前記第１の装飾部品は、所定の力が前記第１の装飾部品にかけられて、第１の装飾部品が、前記細長い部品に沿って動くことが可能になるまで、細長い部品に沿って第１の装飾部品を固定するように、グリップ部材が細長い部品を弾性的に把持するように、構成されている、ブレスレッド又はネックレスに関している。
【００５３】
前記細長い部品は、金属チェーン、レザー紐、布紐、又は、アンカー形式のチェーンのように、宝飾品に適した細長い部品であり得る。
【００５４】
幾つかの実施の形態では、前記所定の力は、装飾部品に作用する重力よりも大きい。
【００５５】
幾つかの実施の形態では、ブレスレッド又はネックレスは、更に、細長い部材に繋がれる少なくとも１つの自由に動き得る装飾部品を有している。
【００５６】
幾つかの実施の形態では、ブレスレッド又はネックレスは、更に、細長い部材に繋がれる複数の自由に動き得る装飾部品を有している。
【００５７】
幾つかの実施の形態では、ブレスレッド又はネックレスは、更に、細長い部材に繋がれる、前記第１の態様に関して記載されたような第２の装飾部品を有しており、この第２の装飾部品は、グリップ部材が、細長い部材を弾性的に把持して、第２の装飾部品を、所定の力が第２の装飾部品にかけられて第２の装飾部品が細長い部品に沿って動かされ得るようになるまで、細長い部品に沿って固定させるように構成されている。
【００５８】
第３の態様に係われば、本願発明は、装飾部品を製造するための方法であって、この装飾部品は、装飾部品がブレスレッド及び／又はネックレスの細長い部品に繋がれることを可能にすると共に透孔軸を規定している透孔を有しており、この方法は、
自己支持のハウジングの第１の側の第１の開口、並びに自己支持のハウジングの第２の側の第２の開口を有する透孔を備えた自己支持のハウジングを与える工程と、
装飾部品の前記透孔の少なくとも一部を形成する透孔を有する第１の筒状部材と、ブレスレッド及び／又はネックレスの細長い部品を摩擦係合で把持するためのグリップ部材とを有する挿入アッセンブリを組み立てる工程と、
前記挿入アッセンブリを前記ハウジングの透孔の中に挿入する工程とを具備し、
前記第１の筒状部材は、透孔軸に沿って延びた第１の周壁の開口を有し、前記グリップ部材は、ブレスレッド及び／又はネックレスの細長い部品を摩擦係合で把持するための第１のグリップ部と筒状部とを有し、前記第１のグリップ部は、前記筒状部の内面から突出しており、また、前記挿入アッセンブリを組み立てる工程は、前記第１のグリップ部が、前記第１の周壁の開口とアラインメントされ、第１のグリップ部が、前記第１の周壁の開口を通って延び、前記筒状部の内面の一部が、第１の筒状部材の外面の一部の上に位置し、この結果、グリップ部材が第１の筒状部材に取着されるまで、第１の筒状部材の周りのグリップ部材を引っ張ることを有している、方法に関している。
【００５９】
従って、グリップ部材を備えた装飾部品を製造する有効な方法が提供される。
【００６０】
幾つかの実施の形態では、前記挿入アッセンブリは、前記自己支持のハウジングの第１の開口から、自己支持のハウジングの透孔の中に挿入される。
【００６１】
幾つかの実施の形態において、装飾部品は、本願発明の第１の態様に関連して記載されたような装飾部品である。
【００６２】
幾つかの実施の形態において、前記挿入アッセンブリは、これが自己支持のハウジングの透孔に挿入される前に、組み立てられる。
【００６３】
幾つかの実施の形態では、前記第１の筒状部材は、透孔軸に沿って延びた第２の周壁の開口を有し、また、前記グリップ部材は、更に、ブレスレッド及び／又はネックレスの細長い部品を摩擦係合で把持するための第２のグリップ部を有しており、この第２のグリップ部材は、前記筒状部の内面から突出している。前記挿入アッセンブリを組み立てる工程は、前記第１のグリップ部が、前記第１の周壁の開口とアラインメントされると共に前記第２のグリップ部が、前記第２の周壁の開口とアラインメントされ、第１のグリップ部が、前記第１の周壁の開口を通って延びると共に第２のグリップ部が、前記第２の周壁の開口を通って延び、前記筒状部の内面の一部が、第１の筒状部材の外面の一部の上に位置し、この結果、グリップ部材が第１の筒状部材に取着されるまで、第１の筒状部材の周りのグリップ部材を引っ張ることを有している。
【００６４】
幾つかの実施の形態において、前記第１の筒状部材は、透孔軸に沿って延びた第３の周壁の開口を有し、また、前記グリップ部材は、更に、ブレスレッド及び／又はネックレスの細長い部品を摩擦係合で把持するための第３のグリップ部を有しており、この第３のグリップ部は、前記筒状部の内面から突出している。前記挿入アッセンブリを組み立てる工程は、前記第１のグリップ部が、前記第１の周壁の開口とアラインメントされる、前記第２のグリップ部が、前記第２の周壁の開口とアラインメントされ、前記第３のグリップ部が、前記第３の周壁の開口とアラインメントされ、そして、第１のグリップ部が、前記第１の周壁の開口を通って延び、第２のグリップ部が、前記第２の周壁の開口を通って延び、第３のグリップ部が、前記第３の周壁の開口を通って延び、前記筒状部の内面の一部が、第１の筒状部材の外面の一部の上に位置し、この結果、グリップ部材が第１の筒状部材に取着されるまで、第１の筒状部材の周りのグリップ部材を引っ張ることを有している。
【００６５】
幾つかの実施の形態において、この装飾部品は、更に、透孔を備えたロック部材を有し、このロック部材は、前記挿入アッセンブリと係合するための係合部と、前記自己支持のハウジングの外に位置されるカラーとを有し、この方法は、更に、
前記ロック部材の係合部を前記自己支持のハウジングの第２の開口の中に挿入する工程と、
前記係合部を前記挿入アッセンブリに装着させる工程とを有している。
【００６６】
第４の態様に係われば、本願発明は、ブレスレッド及び／又はネックレスの細長い部品を、装飾部品の透孔中で、把持するためのグリップ部材を取着するための筒状部材に関している。この筒状部材は、筒状部材の透孔軸を規定している透孔を有している。また、この筒状部材は、筒状部材の透孔軸に沿って延びている第１の周壁の開口を有しており、この第１の周壁の開口は、第１のグリップ部が第１の周壁の開口を通ることを可能にするように、グリップ部材の第１のグリップ部を受けるようになっている。
【００６７】
幾つかの実施の形態において、前記筒状部材は、更に、筒状部材の透孔軸に沿って延びている第２の周壁の開口を有しており、この第２の周壁の開口は、第２のグリップ部が第２の周壁の開口を通ることを可能にするように、グリップ部材の第２のグリップ部を受けるようになっている。
【００６８】
幾つかの実施の形態において、前記筒状部材は、更に、筒状部材の透孔軸に沿って延びている第３の周壁の開口を有しており、この第３の周壁の開口は、第３のグリップ部が第３の周壁の開口を通ることを可能にするように、グリップ部材の第３のグリップ部を受けるようになっている。
【００６９】
幾つかの実施の形態において、前記第１の周壁の開口、第２の周壁の開口、及び／又は第３の周壁の開口は、筒状部材の透孔軸に沿った筒状部材の幅の９５％，９０，８０％，７０％，６０％又は５０％よりも短い筒状部材の透孔軸に沿った幅を有している。
【００７０】
幾つかの実施の形態において、前記第１の周壁の開口、第２の周壁の開口、及び／又は第３の周壁の開口は、筒状部材の透孔軸に対して垂直な面内で、筒状部材の周壁の５％と３３％との間だけ延びている。
【００７１】
幾つかの実施の形態において、この筒状部材は、装飾部品の自己支持のハウジングの透孔の中に、自己支持のハウジングの前記透孔の第１の開口を通して挿入可能である。
【００７２】
幾つかの実施の形態において、この筒状部材は、第１の部分と第２の部分とを有し、第１の部分は、第２の部分の次に位置され、第２の部分は、筒状部材の透孔軸に垂直な面内で計って、第１の部分の最大幅よりも小さい最大幅を有しており、前記第１の周壁の開口は、筒状部材の第２の部分に位置されている。
【００７３】
幾つかの実施の形態において、前記第２の周壁の開口は、筒状部材の第２の部分に位置されている。
【００７４】
幾つかの実施の形態において、前記第３の周壁の開口は、筒状部材の第２の部分に位置されている。
【００７５】
幾つかの実施の形態において、この筒状部材は、更に、前記第２の部分の次に位置された第３の部分を有しており、前記第２の部分は、筒状部材の透孔軸に垂直な面内で計って、前記第１の部分及び第３の部分の最大幅よりも小さい最大幅を有しており、前記第１の周壁の開口は、筒状部材の第２の部分に位置されている。
【００７６】
幾つかの実施の形態において、前記第１の周壁の開口は、筒状部材の前記第２の部分の、筒状部材の透孔軸に沿ってほぼ全長に渡って延びている。
【００７７】
幾つかの実施の形態において、前記第２の周壁の開口は、筒状部材の前記第２の部分の、筒状部材の透孔軸に沿ってほぼ全長に渡って延びている。
【００７８】
幾つかの実施の形態において、前記第３の周壁の開口は、筒状部材の前記第２の部分の、筒状部材の透孔軸に沿ってほぼ全長に渡って延びている。
【００７９】
幾つかの実施の形態において、この筒状部材は、自己支持のハウジングの外に位置されるカラーを有し、このカラーは、自己支持のハウジングに対して、筒状部材の前記透孔軸に沿った第１の方向へ筒状部材の動きを阻止するように自己支持のハウジングの外面と当接する表面を有している。
【００８０】
前記カラーは、この筒状部材の一体的な部分であり得るか、筒状部材に取着され得る。このカラーは、筒状部材の透孔の第１の開口の所に配置され得る。
【００８１】
幾つかの実施の形態において、前記係合部は、この筒状部材に、雄型／雌型ロック機構により装着され、これの雄型部は、突出部を有し、雌型部は、凹所及び／又は開口を有している。
【００８２】
前記係合部は、雄型部を有し得、また、この筒状部材は、雌型部を有し得る。即ち、前記係合部は、筒状部材の凹所及び／又は開口と係合するように構成された突出部を有し得る。代わって、この筒状部材が雄型部を有し、係合部が雌型部を有していても良い。
【００８３】
幾つかの実施の形態では、前記雄型／雌型ロック機構は、雄型部及び雌型部の自由回転可能な向き及び／又は位置から、雄型部及び雌型部のロックされる回転向き及び／又は位置への移動及び／又は回転が、雄型部及び雌型部のロックされる回転向き及び／又は位置から雄型部及び雌型部の自由回転可能な向き及び／又は位置への移動及び／又は回転よりも弱い力でなされる、スナップロック形式である。
【００８４】
このことは、ロック部材と筒状部材とが、代表的には永久的に取着されるような効果があり得る。
【００８５】
幾つかの実施の形態では、前記雄型／雌型ロック機構は、ロック部材が筒状部材に対して自由回転可能な向きのときに、透孔軸に沿った凹所及び／又は開口中への雄型部の突出部の挿入を可能にし、ロック部材が筒状部材に対してロックされる位置の時であってロック部材が筒状部材に対してロックされる回転向きのときに、少なくとも透孔軸に沿った第１の方向への移動が阻止されるように形成された凹所及び／又は開口を、前記雌型部（係合部又は筒状部材）が有している回転ロック形式である得る。
【００８６】
幾つかの実施の形態では、前記雄型部は、複数の突出部を有しており、また前記雌型部は、複数の凹所及び／又は開口を有している。
【００８７】
前記雄型部の突出部及び／又は前記雌型部の凹所及び／又は開口は、自由回転可能な向きからロックされる回転向きへの回転が、ロックされる回転向きから自由回転可能な向きへの回転よりも小さい力が必要であるように、構成され得る。
【００８８】
幾つかの実施の形態では、筒状部材は、２mmと３cmとの間の筒状部材の透孔軸に沿った長さを有している。
【００８９】
第５の態様に係われば、本願発明は、ブレスレッド及び／又はネックレスのための装飾部品であって、この装飾部品は、装飾部品がブレスレッド及び／又はネックレスの細長い部品に繋がれることを可能にすると共に透孔軸を規定している透孔を有し、この装飾部品は、
ハウジングの第１の側の第１の開口、並びにハウジングの第２の側の第２の開口を有する透孔を備えた自己支持のハウジングと、
透孔を有し、前記自己支持のハウジングの第１の開口を通して自己支持のハウジングの透孔の中に挿入される第１の筒状部材とを具備し、
この装飾部品は、更に、透孔を有し、自己支持のハウジングの前記第２の開口を通して自己支持のハウジングの前記透孔の加に挿入されるロック部材を具備し、このロック部材は、前記第１の筒状部材に装着される係合部を有している。
【００９０】
従って、装飾部品の両側から挿入された２つの部材を使用することによるライニングを装飾部品に与えることにより、このライニング（第１の筒状部材とロック部材）は、ビーズにこれを変形しないで装着され得る。このことは、予め装飾されたライニングや複数の部材からなるライニングのような比較的複雑な挿入部が使用されることを可能にしている。
【００９１】
この装飾部品は、ビーズのような装飾の目的のためのブレスレッド及び／又はネックレスに繋がれ得る如何なる部品でも良い。本願発明の第５の態様に係わる装飾部品は、自由に動き得る装飾部品でも良いし、ブレスレッド又はブレスレッドで自由に動き得る装飾部品を構成する装飾部品でも良い。前記自己支持のハウジングは、装飾部品の外面を構成し得るか、装飾部品の外面を構成する他の層又は部品で覆われ得る。自己支持のハウジングは、ほぼ球形、円筒形、立方体形のような如何なる形状でも良い。自己支持のハウジングは、装飾部品の製造プロセスの間、しっかりとした取扱いが可能なような構成強度を有している。自己支持のハウジングは、装飾部品の主構成強度を与え得る。自己支持のハウジングは、金属、ガラス、木材、プラスチック、又はこれらの組合せにより形成され得る。この自己支持のハウジングの透孔は、一定の幅を有していても、変化している幅（透孔軸に垂直な面内で見て）を有していても良い。例えば、自己支持のハウジングの透孔は、第１の開口及び第２の開口の所よりも、自己支持のハウジングの中央部で広くなっていても良い。自己支持のハウジングの透孔の内面は、他の部品又は流体、例えば、空気により、挿入アッセンブリから離間されていても良い。少なくとも、自己支持のハウジングの一部は、透明又は半透明であっても良い。
【００９２】
前記係合部と第１の筒状部材とは、永久的に取着されても、又永久的でないように取着されても良い。
【００９３】
第１の筒状部材は、丸いか矩形のような外形を有し得る。従って、第１の筒状部材の透孔は、丸いか矩形のような如何なる形状を有し得る。第１の筒状部材は、一体成型により、即ち、単一の型により形成され得る。第１の筒状部材は、金属及び／又はプラスチックにより形成され得る。
【００９４】
前記ロック部材の係合部は、接着剤又は機械的なロック機構の使用により、第１の筒状部材に取着さけ得る。
【００９５】
幾つかの実施の形態では、前記係合部は、第１の筒状部材に、雄型／雌型ロック機構により取着されており、雄型部は、突出部を有しており、また、雌型部は、凹所及び／又は開口を有している。
【００９６】
前記係合部は、雄型部で良く、また、前記雌型部は、雌型部で良い。即ち、係合部は、第１の筒状部材に形成された凹所及び／又はに係合するように構成された突出部により形成され得る。代わって、前記第１の筒状部材は、雄型部を有しても良く、また、係合部は、雌型部を有し得る。
【００９７】
幾つかの実施の形態において、この装飾部品は、更に、第２の筒状部材を有しており、前記第１の筒状部材と、前記ロック部材の係合部とは、第２の筒状部材の中に位置される。
【００９８】
これにより、挿入アッセンブリは、自己支持のハウジングの中に、より容易に挿入されることができる。前記第２の筒状部材は、更に、前記自己支持のハウジングが、透明又は半透明のときに、装飾部品の装飾されていない部材を隠し得る。前記第１の筒状部材は、第１の筒状部材と係合部との間の取着部を更に、保護し得る。
【００９９】
前記第２の筒状部材は、自己支持のハウジングの長さほぼ等しい透孔軸にそった長さを有し得る。かくして、この第２の筒状部材は、自己支持のハウジングの透孔の中に全体が挿入され得る。ロック部材の前記係合部は、第２の筒状部材の中に全体が挿入され得る。
【０１００】
幾つかの実施の形態において、前記雄型／雌型ロック機構は、雄型部及び雌型部の自由回転可能な向き及び／又は位置から、雄型部及び雌型部のロックされる回転向き及び／又は位置への移動及び／又は回転が、雄型部及び雌型部のロックされる回転向き及び／又は位置から雄型部及び雌型部の自由回転可能な向き及び／又は位置への移動及び／又は回転よりも弱い力でなされる、スナップロック形式である。
【０１０１】
このことは、ロック部材と第１の筒状部材とが、代表的には永久的に取着されるような効果があり得る。
【０１０２】
幾つかの実施の形態では、前記雄型／雌型ロック機構は、ロック部材が第１の筒状部材に対して自由回転可能な向きのときに、透孔軸に沿った凹所及び／又は開口中への雄型部の突出部の挿入を可能にし、ロック部材が第１の筒状部材に対してロックされる位置の時であってロック部材が第１の筒状部材に対してロックされる回転向きのときに、少なくとも透孔軸に沿った第１の方向への移動が阻止されるように形成された凹所及び／又は開口を、前記雌型部（係合部又は第１の筒状部材）が有している回転ロック形式である得る。
【０１０３】
幾つかの実施の形態では、前記雄型部は、複数の突出部を有しており、また前記雌型部は、複数の凹所及び／又は開口を有している。
【０１０４】
前記雄型／雌型ロック機構が回転形式のときには、前記ロック部材は、第１の筒状部材に、最初にロック部材を第１の筒状部材に対して自由回転可能な向きに回転して向かせ、次に、ロック部材が第１の筒状部材に対してロックされるになるまで、筒状部材及び／又はロック部材を透孔軸に沿って移動させ、そして、最後に、第１の筒状部材及び／又はロック部材を自由回転可能な向きからロックされる回転向きに回転させることにより、装着され得る。
【０１０５】
前記雄型部の突出部及び／又は前記雌型部の凹所及び／又は開口は、自由回転可能な向きからロックされる回転向きへの回転が、ロックされる回転向きから自由回転可能な向きへの回転よりも小さい力が必要であるように、構成され得る。
【０１０６】
幾つかの実施の形態において、雄型部（係合部又は第１の筒状部材）は、可撓性の部材を有する。この可撓性の部材は、雄型部が雌型部と当ったときに、第１の形状から第２の形状に変形し、そして、この可撓性の部材が、雌型部の凹所及び／又は開口とアラインメントされたときに、ほぼ第１の形状へとスナップバックして、可撓性の部材が凹所及び／又は開口と係合し、この結果、両者間での純粋な変換により、雄型部を雌型部にロックさせるように、構成されている。
【０１０７】
幾つかの実施の形態では、前記雄型部は、２つの可撓性の部材を有し、また、雌型の部分は、２つの凹所及び／又は開口を有している。
【０１０８】
前記２つの可撓性の部材は、雄型部の対向した両側に配置され得る。対応して、前記２つの凹所及び／又は開口は、雌型部の対向した両側に配置され得る。
【０１０９】
幾つかの実施の形態では、ロック部材の前記係合部は、前記第１の筒状部材の中に挿入され、この結果、ロック部材の透孔と第１の筒状部材の透孔とは、一緒になって、装飾部品の透孔を形成している。
【０１１０】
幾つかの実施の形態において、前記第１の筒状部材は、第１の端部に、更にカラーを有し、このカラーは、前記自己支持のハウジングの第１の開口の所で、自己支持のハウジングの外に位置し、また、装飾部品に対して、前記透孔軸に沿った第１の方向への挿入アッセンブリの第１の筒状部材の動きを阻止するように自己支持のハウジングの外面と当接する表面を有している。
【０１１１】
幾つかの実施の形態において、前記ロック部材は、前記自己支持のハウジングの第２の開口の所で、自己支持のハウジングの外に位置するカラーを有し、また、このカラーは、装飾部品に対して、前記透孔軸に沿った第２の方向への前記第１の筒状部材の動きを阻止するように自己支持のハウジングの外面と当接する表面を有している。
【０１１２】
幾つかの実施の形態において、前記第１の筒状部材は、前記自己支持のハウジングの第１の開口を通って自己支持のハウジングの前記透孔の中に挿入さる挿入アッセンブリの部分であり、前記挿入アッセンブリは、ブレスレッド及び／又はネックレスの一部を摩擦係合で把持するように、前記第１の筒状部材とグリップ部材とにより組み立てられており、また、前記第１の筒状部材は、装飾部品の透孔の中に前記グリップ部材を装着するように構成されている。
【０１１３】
第６の態様に係われば、本願発明は、装飾部品を製造するための方法であって、この装飾部品は、装飾部品がブレスレッド及び／又はネックレスの細長い部品に繋がれることを可能にすると共に透孔軸を規定している透孔を有しており、この方法は、
自己支持のハウジングの第１の側の第１の開口、並びに自己支持のハウジングの第２の側の第２の開口を有する透孔を備えた自己支持のハウジングを与える工程と、
前記自己支持のハウジングの第１の開口を通して、透孔を有する第１の筒状部材を挿入する工程と、
前記自己支持のハウジングの第２の開口を通して、透孔を有し、自己支持のハウジングの透孔の中に位置されるための係合部を備えたロック部材を挿入する工程と、
前記ロック部材の係合部を前記第１の筒状部材に取着させる工程とを具備する方法に関係している。
【０１１４】
従って、装飾部品の両側から挿入された２つの部材を使用することにより、ライニング（第１の筒状部材とロック部材）は、ビーズにこれを変形しないで装着され得る。このことは、予め装飾されたライニングや複数の部材からなるライニングのような比較的複雑な挿入部が使用されることを可能にしている。
【０１１５】
幾つかの実施の形態では、前記係合部は、前記筒状部材に、雄型／雌型ロック機構により取着されている。
【０１１６】
幾つかの実施の形態において、この方法は、更に、前記自己支持のハウジングの第１の開口又は第２の開口から自己支持のハウジングの透孔の中に、第２の筒状部材を挿入する工程を具備し、ここで、前記第１の筒状部材と、ロック部材の前記係合部とは、第２の筒状部材の中に挿入されている。
【０１１７】
幾つかの実施の形態において、前記装飾部品は、本願発明の第５の態様に関連して記載された装飾部品である。
【０１１８】
本願発明の夫々異なる実施の形態は、装飾部品として、複数の装飾部品と装飾部品のための筒状部材とを備えたブレスレッド又はネックレスを含んでいる異なる仕様と、上述されかつこれに従った装飾部品を製造するための方法とで実行され得、各々は、上述された態様の少なくとも１つと関連して説明された利益及び効果の少なくとも１つを奏することができ、また、各々は、従属請求項に記載され、及び／又は上述された態様の少なくとも１つに関連して記載された好ましい実施の形態に対応した１又は複数の実施の形態を有することができる。
【０１１９】
更に、ここに記載された実施の形態の１つと関連して記載された実施の形態は、他の態様に等しく適用され得ることは、判るであろう。本願発明の第１の態様に関連して記載された第１の筒状部材の態様は、本願発明の第４の態様に関連して記載された筒状部材に適用され得る。又、この反対も可能である。同様に、本願発明の第１の態様に関連して記載された装飾部品に関して記載された態様は、本願発明の第３の態様に関連して記載された筒状部材に関して記載された方法に適用され得る。又、この反対も可能である。願発明の第５の態様に関連して記載された装飾部品に関して記載された更なる態様は、本願発明の第６の態様に関連して記載された方法に適用され得る。又、この反対も可能である。
【図面の簡単な説明】
【０１２０】
【図１ａ】図１ａは、本願発明の一実施の形態に係わる装飾部品を示す図である。
【図１ｂ】図１ｂは、本願発明の一実施の形態に係わる装飾部品を示す図である。
【図１ｃ】図１ｃは、本願発明の一実施の形態に係わる装飾部品を示す図である。
【図２】図２は、本願発明の一実施の形態に係わる装飾部品を示す図である。
【図３】図３は、本願発明の一実施の形態に係わる装飾部品を示す図である。
【図４ａ】図４ａは、本願発明の一実施の形態に係わる第１の筒状部材を示す図である。
【図４ｂ】図４ｂは、本願発明の一実施の形態に係わる第１の筒状部材を示す図である。
【図４ｃ】図４ｃは、本願発明の一実施の形態に係わる第１の筒状部材を示す図である。
【図４ｄ】図４ｄは、本願発明の一実施の形態に係わる第１の筒状部材を示す図である。
【図５ａ】図５ａは、本願発明の一実施の形態に係わるグリップ部材を示す図である。
【図５ｂ】図５ｂは、本願発明の一実施の形態に係わるグリップ部材を示す図である。
【図６ａ】図６ａは、本願発明の一実施の形態に係わる自己支持のハウジングを示す図である。
【図６ｂ】図６ｂは、本願発明の一実施の形態に係わる自己支持のハウジングを示す図である。
【図７ａ】図７ａは、本願発明の一実施の形態に係わる第２の筒状部材を示す図である。
【図７ｂ】図７ｂは、本願発明の一実施の形態に係わる第２の筒状部材を示す図である。
【図８ａ】図８ａは、本願発明の一実施の形態に係わるロック部材を示す図である。
【図８ｂ】図８ｂは、本願発明の一実施の形態に係わるロック部材を示す図である。
【図８ｃ】図８ｃは、本願発明の一実施の形態に係わるロック部材を示す図である。
【図９】図９は、本願発明の一実施の形態に係わる装飾部品を示す図である。
【０１２１】
図である。
【図１０ａ】図１０ａは、本願発明の一実施の形態に係わる第１の筒状部材を示す図である。
【図１０ｂ】図１０ｂは、本願発明の一実施の形態に係わる第１の筒状部材を示す図である。
【図１０ｃ】図１０ｃは、本願発明の一実施の形態に係わる第１の筒状部材を示す図である。
【図１０ｄ】図１０ｄは、本願発明の一実施の形態に係わる第１の筒状部材を示す図である。
【図１１ａ】図１１ａは、本願発明の一実施の形態に係わるロック部材を示す図である。
【図１１ｂ】図１１ｂは、本願発明の一実施の形態に係わるロック部材を示す図である。
【図１１ｃ】図１１ｃは、本願発明の一実施の形態に係わるロック部材を示す図である。
【図１２】図１２は、本願発明の一実施の形態に係わる装飾部品を示す図である。
【図１３ａ】図１３ａは、本願発明の一実施の形態に係わる第１の筒状部材を示す図である。
【図１３ｂ】図１３ｂは、本願発明の一実施の形態に係わる第１の筒状部材を示す図である。
【図１３ｃ】図１３ｃは、本願発明の一実施の形態に係わる第１の筒状部材を示す図である。
【図１３ｄ】図１３ｄは、本願発明の一実施の形態に係わる第１の筒状部材を示す図である。
【図１４ａ】図１４ａは、本願発明の一実施の形態に係わるロック部材を示す図である。
【図１４ｂ】図１４ｂは、本願発明の一実施の形態に係わるロック部材を示す図である。
【図１４ｃ】図１４ｃは、本願発明の一実施の形態に係わるロック部材を示す図である。
【図１５】図１５は、本願発明の一実施の形態に係わる装飾部品を示す図である。
【発明を実施するための形態】
【０１２２】
以下の記載において、参照は、どのようにして発明が実現され得るかを説明ために示す添付の図になされている。
【０１２３】
図１ａ乃至１ｃは、本願発明の一実施の形態に係わる、透孔軸１０４を規定していね透孔を備えたブレスレッド及び／又はネックレスのための装飾部品１００を示している。図１ａは、側面図を示し、図１ｂは、正面図を示し、そして、図１ｃは、図１ｂに示された線Ａに沿った断面図を示している。装飾部品１００は、透孔１５０を備えた自己支持のハウジング１０１と、自己支持のハウジング１０１の透孔１５０に挿入された挿入アッセンブリ１０２，１０３とを有している。前記透孔は、１５１の第１の側の第１の開口と１５２の側の第２の開口とを有している。前記挿入アッセンブリ１０２，１０３は、第１の筒状部材１０２とグリップ部材１０３（概略的にのみ示されている）とを有している。前記グリップ部材１０３は、ブレスレッド及び／又はネックレスの一部を摩擦係合で掴むように構成されている。前記第１の筒状部材１０２は、透孔１４０を有している。この透孔は、一実施の形態では、装飾部品１００を完全に貫通した透孔を形成している。しかし、本願発明の他の実施の形態では、第１の筒状部材１０２の透孔は、装飾部品１００の透孔の制限された部分のみを形成している。この装飾部品の透孔１５０は、ブレスレッド及び／又はネックレスの細長い部品に装飾部品が繋がれることを可能にしている。前記自己支持のハウジングの透孔１５０は、変化している幅（透孔軸に垂直な面内で見て）を有している。即ち、自己支持のハウジングの透孔１５０は、自己支持のハウシジンの第１の開口１５１及び第２の開口１５２の所よりも中心部で広くなっている。自己支持のハウジングの透孔１５０の内面は、流体、例えば、空気を介して、前記挿入アッセンブリ１０２，１０３とは、離間されている。第１の筒状部材１０２は、前記グリップ部材１０３を前記装飾部品の透孔１０５内に取着させるように構成されている。これは、前記グリップ部材１０３を第１のグリップ部材１０２に、例えば、これら２つの部材を接着させるか、例えば、図２に示されているように、グリップ部材１０３を第１の筒状部材１０２の凹所内に位置付けることにより、なされ得る。第１の筒状部材１０２は、代わって、図３乃至５ｂを参照して説明されるように、グリップ部材１０３を装飾部品の透孔１５０内に、グリップ部材の一部の外周面が覆われることにより、取着し得る。
【０１２４】
図２は、本願発明の一実施の形態に係わる、透孔軸２０４を規定している透孔を有するブレスレッド及び／又はネックレスのための装飾部品２００の断面図を示している。この装飾部品２００は、透孔２５０を備えた自己支持のハウジング２０１と、この自己支持のハウジング２０１の透孔２５０中に挿入された挿入アッセンブリ２０２，２０３とを有している。前記透孔２５０は、自己支持のハウジングの第１の側の第１の開口２５１と、自己支持のハウジングの第２の側の第２の開口２５２とを有している。前記挿入アッセンブリ２０２，２０３は、第１の筒状部材２０２とグリップ部材２０３とを有している。グリップ部材２０３は、ブレスレッド及び／又はネックレスの一部を摩擦持係合で把持するように構成されている。グリップ部材２０３は、筒状をしている。前記第１の筒状部材２０２は、グリップ部材を装飾部品の開口中に、透孔２４０の内壁の中央部分に凹所２９０を有し、この中にグリップ部材２０３が位置付けられていることにより、取着されている。オプションでは、前記グリップ部材２０３は、第１の筒状部材２０２の内面に更に取着されている。第１の筒状部材の透孔２４０は、装飾部品２００の完全な透孔を形成している。
【０１２５】
図３は、本願発明の一実施の形態に係わる装飾部品３００の分解図を示している。この装飾部品３００は、挿入アッセンブリ３７０と、第２の筒状部材３０５と、自己支持のハウジング３０１と、ロック部材３０６とを有している。前記挿入アッセンブリ３７０は、第１の筒状部材３０２と、グリップ部材３０３とを有している。また、透孔軸３０４が示されている。前記第１の筒状部材３０２は、透孔を有し、また、図４ａ乃至４ｄを参照して後で詳しく説明されるように、カラー３２４と、第１の部分３２１と、第２の部分３２２と、第３の部分３２３とを備えている。前記ロック部材３０６は、透孔を有し、また、前記挿入アッセンブリ３７０と係合するための係合部３６１と、自己支持のハウジング３０１の外に位置されるためのカラー３６２とを備えている。この装飾部品３００は、最初に挿入アッセンブリ３７０を組み立てることにより、製造され／組立てられ得る。挿入アッセンブリ３７０は、グリップ部材３０３を第１の筒状部材３０２の前記第２の部分３２２の周りに、グリップ部材３０３の把持部（図示されず）が、第１の筒状部材３０２の周方向の複数の開口を通って延びるように、位置付けることにより、組立てられ得る。次に挿入アッセンブリ３７０は、第２の筒状部材３０５の中に挿入され得る。そして、第２の筒状部材を備えた挿入アッセンブリ３７０は、自己支持のハウジングの透孔３５０に、カラー３２４が自己支持のハウジング３０１の外に位置されるように、挿入され得る。代わって、第２の筒状部材３０５が、挿入アッセンブリ３７０が挿入される前に、自己支持のハウジングの透孔３５０の中に挿入され得る。前記挿入アッセンブリ３７０及び／又は第２の筒状部材３０５が、第１の開口３５１を介して自己支持のハウジングの前記透孔３５１に挿入され得る。前記挿入アッセンブリ３７０及び／又は第２の筒状部材３０５は、代わって、自己支持のハウジング３０１が完全に形成される／組み立てられる前に、自己支持のハウジングの透孔１５０の中に挿入され得る。これは、例えば、挿入アッセンブリ３７０及び／又は第２の筒状部材が、自己支持のハウジング３０１の第１の半体の中に挿入され、この後に、自己支持のハウジング３０１の第２の半体が、前記第１の半体に取着されて、挿入アッセンブリ３７０が透孔３５０の中に挿入されている状態の仕上げられた自己支持のハウジング３０１が形成される、ことによりなされ得る。最後に、ロック部材３０６が、自己支持のハウジングの透孔３５０の第２の開口３５２の中に挿入され、係合部３６１が、第１の筒状部材３０２に装着される。
【０１２６】
図４ａ乃至４ｄは、本願発明の一実施の形態に係わる透孔を備えた第１の筒状部材を示している。図４ａ乃至４ｄに示されている第１の筒状部材は、図３に示されている第１の筒状部材３０２に対応し得る。図４ａは、側面図を示し、図４ｂは、線Ａに沿った断面図を示し、図４ｃは、正面図を示し、また、図４ｄは、背面図を示している。第１の筒状部材４０２は、筒状部材の透孔軸４０４を規定している透孔４７４を有している。第１の筒状部材４０２が、本願発明に係わる装飾部品の中に位置付けられているときに、筒状部材の前記透孔軸と、装飾部品の透孔軸とは、一致するであろう。第１の筒状部材４０２は、第１の部分４２１と第２の部分４２２と、第３の部分とを有している。第２の部分４２２の最大幅は、第１の部分４２１及び第３の部分４２３の最大幅より小さい。第１の筒状部材４０２は、更に、カラー４２４と、第１の周壁の開口４２６と、第２の周壁の開口４２７と、第３の周壁の開口４２８とを有している。これら周壁の開口４２６，４２７，４２８の各々は、筒状部材の透孔軸４０４に沿って延びている。また、これら周壁の開口４２６，４２７，４２８は、筒状部材の透孔軸４０４に沿って延びている壁４７１，４７２，４７３により互いに離間されている。これら周壁の開口４２６，４２７，４２８の各々は、第１の筒状部材の全周のＢパーセント延びている。この実施の形態では、示されたＢは、２０．８％に、即ち、７５度に等しい。これに対応して、前記壁４７１，４７２，４７３の各々は、第１の筒状部材の全周のＣパーセント延びている。この実施の形態では、示されたＣは、１２．５％に等しい。周壁の開口４２６，４２７，４２８は、グリップ部材の把持部を通して、第１の筒状部材４０２の透孔４７４の中へと延びることを
可能にして、把持部がブレスレッド及び／又はネックレスの細長い部品を把持することを可能にしている。前記カラー４２４は、自己支持のハウジングに対して透孔軸に沿って第１の方向に第１の筒状部材４０２が動くことを阻止するように、自己支持のハウジングの外面と当接するための面４７５を有している。透孔４７４の幅は、図４ａに破線で示されているように、前記第３の部分４２３の一部中に僅かに延びている。このことにより、ロック部材の係合部が受け入れられて、ロック部材の透孔と第１の筒状部材の透孔とが一緒になって装飾部品の透孔を形成することが可能となっている。第１の筒状部材４０２は、オプションでは、第１の筒状部材４０２をロック部材の係合部に機械的に取着させるための機械的なロック手段４２５、例えば、雄型／雌型ロック機構、を更に有し得る。幾つかの実施の形態では、前記第１の筒状部材４０２は、１mmと３mmとの間の、筒状部材の透孔軸に沿った長さを有している。
【０１２７】
図５ａ及び５ｂは、本願発明の一実施の形態に係わるグリップ部材を示している。図５ａは、側面図を示し、また、図５ｂは、正面図を示している。図５ａ及び５ｂに示されているグリップ部材５０３は、図３に示されているグリップ部材３０３に対応している。このグリップ部材は、外周面５３２と内周面５３６とを備えた筒状部５３１により構成されている。このグリップ部材５０３は、更に、夫々が筒状部５３１の前記内周面５３６から突出している第１のグリップ部５３３と、第２のグリップ部５３４と、第３のグリップ部５３５とを有している。これらグリップ部５３３，５３４，５３５の各々は、筒状部５３１の内周面５３６のＡパーセントから突出している。この実施の形態で、示されたＡは、１９．４％に、即ち、７０度に等しい。グリップ部５３３，５３４，５３５は、ブレスレッド及び／又はネックレスの細長い部品を弾性的に掴むために使用される。このグリップ部材５０３は、可撓性材料、例えば、シリコーンの様な材料により形成され得る。グリップ部材５０３は、図４ａ乃至４ｄに示されているような第１の筒状部材４０２に以下のようにして装着されることができる。第１のグリップ部５３３が前記第１の周壁の開口４２６とアラインメントされ、第２のグリップ部５３４が前記第２の周壁の開口４２７とアラインメントされ、そして、第３のグリップ部５３５が前記第３の周壁の開口４２８とアラインメントされ、かして、第１のグリップ部５３３が第１の周壁の開口４２６を通って延び、第２のグリップ部５３４が第２の周壁の開口４２７を通って延び、第３のグリップ部５３５が第３の周壁の開口４２８を通って延び、また、筒状部５３１の内周面５３６の一部が、第１の筒状部材４０２の外周面の一部４７１，４７２，４７３の上に乗るまで、第１の筒状部材４０２の周りでグリップ部材５０３を引っ張ることによりグリップ部材５０３は、第１の筒状部材５０２に装着される。
【０１２８】
図６ａ及び６ｂは、本願発明の一実施の形態に係わる自己支持のハウジングを示している。図６ａは、側面図を示し、また図６ｂは、正面図を示している。図６ａ及び６ｂに示されている自己支持のハウジング６０１は、図３に示されている自己支持のハウジング３０１に対応している。この自己支持のハウジング６０１は、自己支持のハウジングの第１の側の第１の開口６５１と自己支持のハウジングの第２の側の開口６５２とを備えた透孔６５０を有している。この自己支持のハウジングの透孔６５０は、変化している幅（透孔軸に垂直な面内で見て）を有している。即ち、自己支持のハウジングの透孔６５０は、自己支持のハウシジンの第１の開口６５１及び第２の開口６５２の所よりも中心部で広くなっている。自己支持のハウジング６０１は、第１の筒状部材のカラーの面と当接するための平坦面６５３を第１の開口６５１の所に有している。対応して、自己支持のハウジング６０１は、ロック部材のカラーの面と当接するための平坦面６５４を有している。
【０１２９】
図７ａ及び７ｂは、本願発明の一実施の形態に係わる第２の筒状部材を示す図である。図７ａは、側面図を示し、また図７ｂは、正面図を示している。図７ａ及び７ｂに示されている第２の筒状部材７０５は、図３に示されている第２の筒状部材３０５に対応し得る。この第２の筒状部材は、透孔７５５を有している。この透孔内に、グリップ部材が装着された第１の筒状部材が位置され得る。
【０１３０】
図８ａ及び８ｂは、本願発明の一実施の形態に係わるロック部材を示す図である。図８ａは、上面図を示し、図８ｂは、背面図を示し、また図８ｃは、正面図を示している。図８ａ乃至８ｃに示されているロック部材８０６は、図３に示されているロック部材３０６に対応し得る。このロック部材８０６は、第１の筒状部材の一部に装着されるための係合部８６１と、自己支持のハウジングの外に位置されるためのカラー８６２と、透孔８６５とを有している。前記係合部８６１は、オプションでは、第１の筒状部材４０２を係合部８６１に機械的に取着させるための機械的なロック手段、８６４、例えば、雄型／雌型ロック機構、を更に有し得る。前記カラー８６２は、自己支持のハウジングの面と当接するための平坦面８６３を有している。
【０１３１】
図９は、本願発明の一実施の形態に係わる、可能なディメンションを有している装飾部品の分解斜視図を示している。この装飾部品９００は、第１の筒状部材９０２と、グリップ部材９０３と、自己支持のハウジング９０１と、第２の筒状部材９０５と、ロック部材９０６とを有している。
【０１３２】
図１０ａ乃至１０ｄは、本願発明の一実施の形態に係わる第１の筒状部材を示す図である。図１０ａは、上面図を示し、図１０ｂは、側面図を示し、図１０ｃは、正面図を示し、そして、図１０ｄは、背面図を示している。この第１の筒状部材１００２は、透孔１００２を有し、カラー１０２４と、第１の部分１０２１と、第２の部分１０２２と、第３の部分１０２３とを備えている。前記カラー１０２４と、第１の部分１０２１と、第２の部分１０２２とは、図４ａ乃至４ｄに示されている第１の筒状部材の対応した部品と同じであり得る。前記第３の部分１０２３は、雄型／雌型ロック機構１０７５，１０７６の雌型部の形態の機械的なロック手段を有している。この雌型部１０７５，１０７６は、夫々透孔軸に沿って延びた第１の開口１０７５と第２の開口１０７６とを有している。これら第１の開口１０７５と第２の開口１０７６とは、互いに対向して位置されている。
【０１３３】
図１１ａ乃至１１ｄは、本願発明の一実施の形態に係わるロック部材１１０６を示している。図１１ａは、上面図を示し、図１１ｂは、正面図を示し、そして、図１１ｃは、背面図を示している。このロック部材１１０６は、透孔１１６５を有し、またカラー１１６２と係合部１１６１を備えている。カラー１１６２は、図８に示されているロック部材のカラーと同じであり得る。前記係合部１１６１は、雄型／雌型ロック機構１０７５，１０７６の雄型部１１６６，１１６７の形態の機械的なロック手段を有している。この雄型部１１６６，１１６７は、第１の可撓性部材１１６６と第２の可撓性部材１１６７とを有している。これら第１及び第２の可撓性部材１１６６、１１６７は、夫々、突出部１１６８，１１６９を有している。図１０ａ乃至１０ｃと図１１ａ乃至１１ｃとに示されている雄型／雌型ロック機構は、一緒に機能するように構成され、かくして前記突出部１１６８，１１６９は、前記開口１０７５，１０７６と適合するように構成されている。ロック部材１１０６は、第１の筒状部材１００２に、これら両者を一緒に、雄型部が雌型部に当接して、第１及び第２の可撓性部材１１６６，１１６７が第１の形状から第２の形状に変形するまで、即ち、第１及び第２の可撓性部材１１６６，１１６７が共に徐々に内方に曲げられまで動かすことにより、取着され得る。これは、２つの可撓性部材１１６６，１１６７の湾曲された前面と、第１の筒状部材１００２の透孔１０７４のリム１０７７との間の相互作用の結果である。２つの可撓性部材１１６６，１１６７が、第１の筒状部材１００２の２つの開口１０７５，１０７６とアラインメントされると、２つの可撓性部材１１６６，１１６７は、ほぼ第１の位置へと跳ね戻り、２つの可撓性部材の突出部１１６６，１１６７が前記開口１０７５，１０７６と係合し、ロック部材１１０６を第１の筒状部材１００２にロックさせる。かくして、ロック部材１１０６は、第１の筒状部材１００２に、両者間の純粋な変換（pure translation）により、装着されることができる。前記雄型／雌型ロック機構１０７５，１０７６，１１６６，１１６７は、雄型／雌型部分の自由位置から雄型／雌型のロック位置への変換が、雄型／雌型のロック位置から雄型／雌型の自由位置への変換よりも小さい力が要求されるスナップロック形式である。これは、突出部１１６８，１６９と開口１０７５，１０７６との特別な形状のためである。このことは、ロック部材１１０６と第１の筒状部材１００２とは、代表的には、永久に取着されるので、有効である。
【０１３４】
図１２は、本願発明の一実施の形態に係わる、図１０ａ乃至１０ｄと図１１ａ乃至１１ｃを参照して説明されたような第１の筒状部材とロック部材とを有する完全に組み立てられた装飾部品の中心での断面を示す。この装飾部品１２００は、自己支持のハウジング１２０１と、第１の筒状部材１２０２と、グリップ部材１２０３と、ロック部材１２０６と、第２の筒状部材１２０５とを有している。装飾部品１２００は、透孔軸を規定している透孔１２５０を有している。前記グリップ部材１２０３は、図５ａ及び５ｂに示されたグリップ部材と同じもので良く。自己支持のハウジング１２０１は、図６ａ及び６ｂに示された自己支持のハウジングと同じもので良く、また、第２の筒状部材１２０５は、図７ａ及び７ｂに示された筒状部材と同じもので良い。グリップ部材１２０３のグリップ部が、装飾部品１２００の透孔１２５０の中にどのように突出して、突出部が、ブレスレッド及び／又はネックレスの細長い部品、例えば、ブレスレッド及び／又はネックレスのチェーンを摩擦的に把持可能である
図１３ａ乃至１３ｄは、本願発明の一実施の形態に係わる第１の筒状部材を示示している。図１３ａは、上面図を示し、図１３ｂは、側面図を示し、図１３ｃは、正面図を示し、そして、図１３ｄは、背面図を示している。第１の筒状部材１３０２は、透孔１３７４を備え、また、カラー１３２４と、第１の部分１３２１と、第２の部分１３２２と、第３の部分１３２３とを有している。前記カラー１３２４と、第１の部分１３２１と、第２の部分１３２２とは、図５ａないし４ｄに示された第１の筒状部材の対応した部分と同じで良い。前記第３の部分１３２３は、雄型／雌型ロック機構１３７５，１３７６の雌型部の形態である機械的なロック手段を有している。雌型部１０７５，１０７６は、第１の開口又は凹所１３７５と第２開口又は凹所１３７６とを有している。第１の開口１３７５と第２の開口１３７６とは、互いに対向するように位置されている。
【０１３５】
図１４ａ乃至１４ｄは、本願発明の一実施の形態に係わるロック部材を示している。図１４ａは、上面図を示し、図１４ｂは、正面図を示し、そして、図１４ｃは、背面図を示している。このロック部材１４０６は、透孔１４６５を有し、また、カラー１４６２と係合部１４６１とを備えている。カラー１４６２は、図８に示されているロック部材のカラーと同じもので良い。係合部１４６１は、雄型／雌型ロック機構の雄型部１４６８，１４６９の形態の機械的なロック手段を有している。雄型部１４６８，１４６９は、第１の突出部１４６８と第２の突出部１４６９とを有している。図１３ａ乃至１３ｃと図１１ａ乃至１１ｃに示されている雄型／雌型ロック機構は、一緒に機能するように構成され、かくして突出部１４６８，１４６９は、開口１３７５、１３７６と適合するように構成されている。前記雄型／雌型ロック機構は、回転形式のものである。即ち、最初に、第１の筒状部材１３０２に対して自由回転可能な向きにロック部材１４０６を回転させて向かわせ（突出部１４６８，１４６９が開口１３７５，１３７６とアラインメントされた状態）、次に、ロック部材１４０６を透孔軸に沿って移動させ、最後に、ロック部材１４０６を自由回転可能な向きからロックされる回転向きへと回転させることにより、ロック部材１４０６は、第１の筒状部材１３０２に装着され得る。
【０１３６】
図１５は、本願発明の一実施の形態に係わる、図１３ａ乃至１３ｄと図１４ａ乃至１４ｃ
を参照して説明された第１の筒状部材とロック部材とを有する装飾部品を示す図である。この装飾部品１５００は、自己支持のハウジング１５０１と、第１の筒状部材１５０２と、グリップ部材１５０３と、ロック部材１５０６と、第２の筒状部材１２０５とを有している。また、この装飾部品１５００は、透孔軸１５０４を規定している透孔１５５０を有している。前記グリップ部材１５０３は、図５ａ及び５ｂに示されているグリップ部材と同じものでも良く、自己支持のハウジング１５０１は、図６ａ及び６ｂに示されている自己支持のハウジングと同じものでも良く、また、第２の筒状部材１２０５は、図７ａ及び７ｂに示されている第２の筒状部材と同じものでも良い。
幾つかの実施の形態が詳細に示されまた記載されているけれども、本願発明は、これらに限定されるものではなく、請求項に規定された内容の範囲内で、他の態様で実現されることが可能である。特に、本願発明の範囲を逸脱しないで、他の実施の形態が、利用され得、また、構造及び機能の変更がなされ得ることは、理解されるであろう。
【０１３７】
幾つかの手段に参照符号を付してある装置の請求項で、これら幾つかの手段は、同じ機構により具体化され得る。また、所定のものが互いに異なる従属請求項に記載され、もしくは異なる実施の形態に記載されているからといって、これは、これらものの組合せが都合良く使用されることができないということを示しているものではない。
【０１３８】
この明細書で使用されている用語"comprise/comprising"は、延べられた態様、一体物、工程、または、部品があることを特定するためであって、１もしくは複数の態様、一体物、工程、部品、もしくは、これらの組合せの存在又は追加を除外するものではないことは、強調されるべきである。
【手続補正３】
【補正対象書類名】図面
【補正対象項目名】図１６ａ
【補正方法】削除
【補正の内容】
【手続補正４】
【補正対象書類名】図面
【補正対象項目名】図１６ｂ
【補正方法】削除
【補正の内容】
【手続補正５】
【補正対象書類名】図面
【補正対象項目名】図１６ｃ
【補正方法】削除
【補正の内容】
【手続補正６】
【補正対象書類名】図面
【補正対象項目名】図１７ａ
【補正方法】削除
【補正の内容】
【手続補正７】
【補正対象書類名】図面
【補正対象項目名】図１７ｂ
【補正方法】削除
【補正の内容】
【手続補正８】
【補正対象書類名】図面
【補正対象項目名】図１８
【補正方法】削除
【補正の内容】
【国際調査報告】
2016506798.tif 000044
2016506798.tif 000045